(57)【要約】【課題】機器の状態と設置場所とを同時に容易に把握する。【解決手段】情報端末装置１は、位置取得部１３と画像取得部１２と機器状態取得部１１と画面構築部１４と出力部３２とを備える。位置取得部１３は建屋に設置された機器の位置を取得する。画像取得部１２は建屋及び機器の画像を取得する。機器状態取得部１１は、機器の状態を取得する。画面構築部１４は、画像取得部１２が取得した画像を位置取得部１３が取得した位置に表示するとともに機器状態取得部１１が取得した機器の状態をも表示する画面を構築する。出力部３２は、画面構築部１４が構築した画面を出力する。【選択図】図２
2017195550.tif 000002
【特許請求の範囲】
【請求項１】
建屋に設置された機器の位置を取得する位置取得部と、
前記建屋及び前記機器の画像を取得する画像取得部と、
前記機器の状態を取得する機器状態取得部と、
前記位置取得部が取得した位置に、前記画像取得部が取得した画像と前記機器状態取得部が取得した機器の状態とを表示する画面を構築する画面構築部と、
前記画面構築部が構築した画面を出力する出力部と、
を備える情報端末装置。
【請求項２】
前記機器は遮光設備を含み、
前記機器の状態は前記遮光設備の開閉量を含み、
前記画面構築部は、前記建屋を構成する部屋の間取り図又は模式図により前記建屋を表示し、前記部屋を示す図の内部の領域に、前記機器状態取得部が取得した前記遮光設備の前記開閉量を示す画像を表示する画面を構築する、
請求項１に記載の情報端末装置。
【請求項３】
前記内部の領域は、開閉量を取得した前記遮光設備の設置された部屋を示す領域全体を含む、
請求項２に記載の情報端末装置。
【請求項４】
前記内部の領域に表示される前記開閉量を示す画像は、開閉量を取得した前記遮光設備を示す画像を含む、
請求項２に記載の情報端末装置。
【請求項５】
前記遮光設備を示す画像は、開閉量を取得した前記遮光設備を模したアイコンを含む、
請求項４に記載の情報端末装置。
【請求項６】
前記遮光設備を示す画像は、開閉量を取得した前記遮光設備が設置された窓を模したアイコンを含む、
請求項４に記載の情報端末装置。
【請求項７】
前記遮光設備の開閉量を示す画像は、前記開閉量に基づき色の明暗が変化する画像を含む、
請求項２から６のいずれか１項に記載の情報端末装置。
【請求項８】
前記遮光設備の開閉量を示す画像は、前記開閉量を示す数値が付加された画像を含む、
請求項２から７のいずれか１項に記載の情報端末装置。
【請求項９】
前記遮光設備の開閉量を示す画像は、開閉量を取得した前記遮光設備を示す画像の一部の面積を前記開閉量に基づき変化させた画像を含む、
請求項４から８のいずれか１項に記載の情報端末装置。
【請求項１０】
前記遮光設備を示す画像の一部の面積を変化させる方向は、開閉量を取得した前記遮光設備の開閉方向と同じ方向である、
請求項９に記載の情報端末装置。
【請求項１１】
さらに、電動遮光設備の開閉を制御する機器制御部と、
前記機器制御部が制御する制御内容を取得する制御内容取得部と、
前記制御内容取得部が制御内容を取得するための操作画面を生成する操作画面生成部と、を備え、
前記操作画面生成部は、前記遮光設備を示す画像の上に、操作シンボルを配置し、
前記制御内容取得部は、前記操作シンボルのドラッグ又はスライド後の前記操作シンボルの位置を取得し、
前記機器制御部は、前記制御内容取得部が取得した前記操作シンボルの位置に対応する開閉量での開閉制御を行う、
請求項９又は１０に記載の情報端末装置。
【請求項１２】
さらに、太陽光発電システムの発電量に関する情報を取得する発電情報取得部と、
前記発電情報取得部が取得した発電量に関する情報に基づき、外部環境を推定する外部環境推定部と、
前記外部環境推定部が推定した外部環境と、前記機器状態取得部が取得した機器の状態と、に基づき画面構築処理を行う条件を判定する判定部と、を備え、
前記画面構築部は、前記判定部が前記画面構築処理を行う条件を満たすと判定した場合に、前記画面構築処理を実行する、
請求項１から１１のいずれか１項に記載の情報端末装置。
【請求項１３】
電動遮光設備の開閉を制御する機器制御部を備え、
前記判定部は、前記外部環境推定部が推定した外部環境と、前記機器状態取得部が取得した機器の状態と、に基づき前記機器制御部が前記電動遮光設備の開閉を制御する条件を判定し、
前記機器制御部は、前記判定部が前記電動遮光設備の開閉を制御する条件を満たすと判定した場合に、前記電動遮光設備の開閉を制御する、
請求項１２に記載の情報端末装置。
【請求項１４】
建屋に設置された機器の位置を取得する位置取得部と、
前記建屋及び前記機器の画像を取得する画像取得部と、
前記機器の状態を取得する機器状態取得部と、
前記位置取得部が取得した位置に、前記画像取得部が取得した画像と前記機器状態取得部が取得した機器の状態とを表示する画面を描画するための描画情報を生成する描画情報生成部と、
前記描画情報生成部が生成した描画情報を出力する出力部と、
を備える情報端末装置。
【請求項１５】
請求項１から１４のいずれか１項に記載の情報端末装置と、
遮光設備の開閉状態を検知するセンサと、を備え、
前記情報端末装置の機器状態取得部は、前記センサから前記遮光設備の開閉状態を取得する、
情報端末システム。
【請求項１６】
請求項１１に記載の情報端末装置と、
電動で開閉可能な電動遮光設備と、を備え、
前記情報端末装置の制御内容取得部が取得した制御内容で前記電動遮光設備を制御する、
情報端末システム。
【請求項１７】
請求項１２または１３に記載の情報端末装置と、
太陽光発電システムと、を備え、
前記情報端末装置の発電情報取得部は、前記太陽光発電システムの発電量に関する情報を取得する、
情報端末システム。
【請求項１８】
建屋に設置された機器の位置を取得する位置取得ステップと、
前記機器の状態を取得する機器状態取得ステップと、
前記位置取得ステップで取得した位置に前記機器状態取得ステップで取得した機器の状態を表示する画面を構築する画面構築ステップと、
を備える画面構築方法。
【請求項１９】
コンピュータに、
建屋に設置された機器の位置を取得する位置取得ステップ、
前記機器の画像を取得する画像取得ステップ、
前記機器の状態を取得する機器状態取得ステップ、
前記位置取得ステップで取得した位置に、前記画像取得ステップで取得した画像と前記機器状態取得ステップで取得した機器の状態とを表示する画面を構築する画面構築ステップ、
を実行させるためのプログラム。
【発明の詳細な説明】
【技術分野】
【０００１】
本発明は、情報端末装置、情報端末システム、画面構築方法及びプログラムに関する。
【背景技術】
【０００２】
カーテンや窓シャッター、ブラインドといった遮光用住宅設備を電動制御できる製品の普及が始まっている。また、ＨＥＭＳ（Ｈｏｍｅ  Ｅｎｅｒｇｙ  Ｍａｎａｇｅｍｅｎｔ  Ｓｙｓｔｅｍ）を用いて、このような遮光用住宅設備を自動制御する仕組みも一般に広まりつつある。
【０００３】
そして、ＨＥＭＳにより状態表示が行われる居住環境も広まりつつある。ＨＥＭＳによる状態表示機能としては、温度、湿度や空気環境の表示が主なものであるが、照明や電動シャッターの状態表示機能を備えたものも存在する。例えば、特許文献１には、ＨＥＭＳ等のホームネットワークシステムに接続された電動シャッターや照明等の機器の状態を絵で表示することで、各機器の状態確認を容易に行うことができるシステムが開示されている。
【先行技術文献】
【特許文献】
【０００４】
【特許文献１】特開２００４−１１２５０６号公報
【発明の概要】
【発明が解決しようとする課題】
【０００５】
特許文献１に開示されているシステムでは、個々の機器の状態は容易に確認できるが、各機器が建屋内のどこに存在するものであるかはわからない。そのため、ユーザは、このシステムの画面に表示される機器の名称とその機器の存在場所との対応を把握しておかなければならないという課題がある。
【０００６】
本発明は、上述のような事情に鑑みてなされたもので、各機器の状態を設置場所とともにわかりやすく表示することにより、機器の状態と設置場所を同時に容易に把握することを目的とする。
【課題を解決するための手段】
【０００７】
上記目的を達成するため、本発明に係る情報端末装置は、位置取得部と画像取得部と機器状態取得部と画面構築部と出力部とを備える。位置取得部は建屋に設置された機器の位置を取得する。画像取得部は建屋及び機器の画像を取得する。機器状態取得部は、機器の状態を取得する。画面構築部は、位置取得部が取得した位置に、画像取得部が取得した画像と機器状態取得部が取得した機器の状態とを表示する画面を構築する。出力部は、画面構築部が構築した画面を出力する。
【発明の効果】
【０００８】
本発明によれば、位置取得部が取得した位置に機器の画像と機器の状態とを同時に表示する構成なので、機器の状態と設置場所とを同時に容易に把握することができる。
【図面の簡単な説明】
【０００９】
【図１】本発明の実施の形態１に係る情報端末システムのシステム構成例を示す図である。
【図２】実施の形態１に係る情報端末装置の機能ブロック図である。
【図３】（ａ）実施の形態１に係る画像情報記憶部に記憶されているデータ例を示す図である。（ｂ）実施の形態１に係る画像情報記憶部に記憶されている遮光設備１のシンボル画像例である。（ｃ）実施の形態１に係る画像情報記憶部に記憶されているシャッター１のシンボル画像例である。（ｄ）実施の形態１に係る画像情報記憶部に記憶されているシャッター１のアイコン画像例である。（ｅ）実施の形態１に係る画像情報記憶部に記憶されているエアコン１のシンボル画像例である。（ｆ）実施の形態１に係る画像情報記憶部に記憶されている食卓１のシンボル画像例である。（ｇ）実施の形態１に係る画像情報記憶部に記憶されている模式図１の画像例である。（ｈ）実施の形態１に係る画像情報記憶部に記憶されている間取り図１の画像例である。
【図４】（ａ）実施の形態１に係る建屋情報記憶部に記憶されている模式図の場合のデータ例を示す図である。（ｂ）実施の形態１に係る模式図の画面例である。
【図５】（ａ）実施の形態１に係る建屋情報記憶部に記憶されている間取り図の場合のデータ例を示す図である。（ｂ）実施の形態１に係る間取り図の画面例である。
【図６】実施の形態１に係る画面構築処理のフローチャートである。
【図７】実施の形態１に係る第１の画面構築・出力処理のフローチャートである。
【図８】（ａ）実施の形態１に係る第１の画面構築・出力処理により画面構築された、遮光設備が全開放の場合の模式図の画面例である。（ｂ）実施の形態１に係る第１の画面構築・出力処理により画面構築された、遮光設備が７５％開放の場合の模式図の画面例である。（ｃ）実施の形態１に係る第１の画面構築・出力処理により画面構築された、遮光設備が５０％開放の場合の模式図の画面例である。（ｄ）実施の形態１に係る第１の画面構築・出力処理により画面構築された、遮光設備が全閉鎖の場合の模式図の画面例である。
【図９】実施の形態１に係る第１の画面構築・出力処理により画面構築された間取り図の画面例である。
【図１０】実施の形態１に係る第２の画面構築・出力処理のフローチャートである。
【図１１】実施の形態１に係る第２の画面構築・出力処理により画面構築された模式図の画面例である。
【図１２】実施の形態１に係る第２の画面構築・出力処理により画面構築された間取り図の画面例である。
【図１３】実施の形態１に係る第３の画面構築・出力処理のフローチャートである。
【図１４】実施の形態１に係る第３の画面構築・出力処理により画面構築された模式図の画面例である。
【図１５】実施の形態１に係る第３の画面構築・出力処理により画面構築された間取り図の画面例である。
【図１６】実施の形態１に係る第４の画面構築・出力処理のフローチャートである。
【図１７】実施の形態１に係る第４の画面構築・出力処理により画面構築された模式図の画面例である。
【図１８】実施の形態１に係る第４の画面構築・出力処理により画面構築された間取り図の画面例である。
【図１９】実施の形態１に係る第５の画面構築・出力処理のフローチャートである。
【図２０】実施の形態１に係る第５の画面構築・出力処理により画面構築された模式図の画面例である。
【図２１】実施の形態１に係る第５の画面構築・出力処理により画面構築された間取り図の画面例である。
【図２２】実施の形態１に係る第６の画面構築・出力処理のフローチャートである。
【図２３】実施の形態１に係る第６の画面構築・出力処理により画面構築された模式図の画面例である。
【図２４】実施の形態１に係る第６の画面構築・出力処理により画面構築された間取り図の画面例である。
【図２５】本発明の実施の形態１の変形例に係る情報端末装置の機能ブロック図である。
【図２６】（ａ）実施の形態１の変形例に係る画像情報記憶部に記憶されているデータ例を示す図である。（ｂ）実施の形態１の変形例に係る画像情報記憶部に記憶されている遮光設備１のシンボル画像例である。（ｃ）実施の形態１の変形例に係る画像情報記憶部に記憶されているシャッター１のシンボル画像例である。（ｄ）実施の形態１の変形例に係る画像情報記憶部に記憶されているシャッター１のアイコン画像例である。（ｅ）実施の形態１の変形例に係る画像情報記憶部に記憶されているエアコン２のシンボル画像例である。（ｆ）実施の形態１の変形例に係る画像情報記憶部に記憶されているエアコン２のアイコン画像例である。（ｇ）実施の形態１の変形例に係る画像情報記憶部に記憶されているテレビ１のシンボル画像例である。（ｈ）実施の形態１の変形例に係る画像情報記憶部に記憶されているテレビ１のアイコン画像例である。
【図２７】実施の形態１の変形例に係る画面構築処理のフローチャートである。
【図２８】実施の形態１の変形例に係る画面構築処理により画面構築された画面例のうち、遮光設備が選択されている図である。
【図２９】実施の形態１の変形例に係る画面構築処理により画面構築された画面例のうち、どの機器・設備も選択されていない図である。
【図３０】実施の形態１の変形例に係る画面構築処理により画面構築された画面例のうち、ＡＶ機器が選択されている図である。
【図３１】実施の形態１の変形例に係る画面構築処理により画面構築された画面例のうち、空調機器が選択されている図である。
【図３２】本発明の実施の形態２に係る情報端末システムのシステム構成例を示す図である。
【図３３】実施の形態２に係る情報端末装置の機能ブロック図である。
【図３４】実施の形態２に係る開閉制御処理のフローチャートである。
【図３５】（ａ）実施の形態２に係る操作画面例のうち、右から左に開く電動遮光設備が全開放の場合の図である。（ｂ）実施の形態２に係る操作画面例のうち、右から左に開く電動遮光設備の７５％開放の場合の図である。（ｃ）実施の形態２に係る操作画面例のうち、右から左に開く電動遮光設備が５０％開放の場合の図である。（ｄ）実施の形態２に係る操作画面例のうち、右から左に開く電動遮光設備が２５％開放の場合の図である。（ｅ）実施の形態２に係る操作画面例のうち、右から左に開く電動遮光設備が全閉鎖の場合の図である。（ｆ）実施の形態２に係る操作画面例のうち、右から左に開く電動遮光設備の７０％開放を指示した場合の図である。
【図３６】（ａ）実施の形態２に係る操作画面例のうち、制御処理中で操作不能の場合の図である。（ｂ）実施の形態２に係る操作画面例のうち、状態取得中で操作不能の場合の図である。
【図３７】（ａ）実施の形態２に係る操作画面例のうち、下から上に開く電動遮光設備が全開放の場合の図である。（ｂ）実施の形態２に係る操作画面例のうち、下から上に開く電動遮光設備の７５％開放の場合の図である。（ｃ）実施の形態２に係る操作画面例のうち、下から上に開く電動遮光設備が５０％開放の場合の図である。（ｄ）実施の形態２に係る操作画面例のうち、下から上に開く電動遮光設備が２５％開放の場合の図である。（ｅ）実施の形態２に係る操作画面例のうち、下から上に開く電動遮光設備が全閉鎖の場合の図である。
【図３８】（ａ）実施の形態２に係る操作画面例のうち、中央から左右に開く電動遮光設備が全開放の場合の図である。（ｂ）実施の形態２に係る操作画面例のうち、中央から左右に開く電動遮光設備の７５％開放の場合の図である。（ｃ）実施の形態２に係る操作画面例のうち、中央から左右に開く電動遮光設備が５０％開放の場合の図である。（ｄ）実施の形態２に係る操作画面例のうち、中央から左右に開く電動遮光設備が全閉鎖の場合の図である。
【図３９】（ａ）実施の形態２に係る操作画面例のうち、軸を中心にスラットを回転動作させる電動遮光設備のスラットを可動範囲の一番上まで上げた場合の図である。（ｂ）実施の形態２に係る操作画面例のうち、軸を中心にスラットを回転動作させる電動遮光設備のスラットを可動範囲の中央よりやや下まで下げた場合の図である。（ｃ）実施の形態２に係る操作画面例のうち、軸を中心にスラットを回転動作させる電動遮光設備のスラットを可動範囲の一番下まで下げた場合の図である。
【図４０】本発明の実施の形態３に係る情報端末システムのシステム構成例を示す図である。
【図４１】実施の形態３に係る情報端末装置の機能ブロック図である。
【図４２】実施の形態３に係る発電パターン記憶部が記憶する夏季晴天時の発電パターンの一例を示す図である。
【図４３】実施の形態３に係る判定条件記憶部が記憶する判定条件の一例を示す図である。
【図４４】実施の形態３に係る第７の画面構築・出力処理のフローチャートである。
【図４５】本発明の実施の形態４に係る情報端末システムのシステム構成例を示す図である。
【図４６】実施の形態４に係る情報端末装置の機能ブロック図である。
【図４７】実施の形態４に係る判定条件記憶部が記憶する判定条件の一例を示す図である。
【図４８】本発明に係る情報端末装置のハードウェア構成例を示す図である。
【発明を実施するための形態】
【００１０】
以下、本発明の実施の形態に係る情報端末装置、情報端末システム、画面構築方法及びプログラムについて図面を参照して詳細に説明する。なお、図中同一または相当する部分には同じ符号を付す。
【００１１】
（実施の形態１）
本発明の実施の形態１に係る情報端末システム１０００は、図１に示すように、情報端末装置１と、１つ以上の遮光設備開閉センサ２と、表示装置３と、を備える。ただし、情報端末装置１が液晶モニタなどの表示デバイスを有する場合は、独立した表示装置３を備えなくても良い。この場合は、情報端末装置１が表示装置３を含む。また、表示装置３は、スマートホンやタブレット等の表示デバイスを備えた情報端末であっても良い。
【００１２】
情報端末装置１は、遮光設備開閉センサ２から建屋に設置された遮光設備の開閉状態の情報を受け取り、その情報に基づき、各遮光設備の開閉状態を建屋内の設置場所と共に提示する画面を構築し、表示装置３に出力する。
【００１３】
遮光設備開閉センサ２は、遮光設備の開閉状態を検出するセンサである。電動シャッター、電動カーテン等の電動遮光設備には備え付けられている場合が多いが、そのようなものに限定する必要はない。例えば、撮像装置であって、遮光装置の開閉状態を画像解析によって判断するものであっても良い。その他、遮光設備の開閉状態を検出できるものであれば、どのような方式のものであっても良い。遮光設備開閉センサ２の出力は、完全に開いた状態である開放状態と、完全に閉まった状態である閉鎖状態の二つの状態だけでもかまわないし、開放状態と閉鎖状態の間に複数段階の状態、つまり途中まで開いた状態があっても良い。通常は、開放の割合を数値で出力する。つまり、完全に開いた状態である場合は１００％、完全に閉まった状態である場合は０％、半分開いた状態である場合は５０％を出力する。
【００１４】
なお、遮光設備とは、シャッター、カーテン、ブラインド、雨戸、シェード、スクリーン等、開閉状態を変えることにより、屋内外の光の通過の度合いを変化させることのできる設備である。開閉状態の変更は、手動でも良いし、電動でも良い。また、物理的な可動部を備えた遮光設備だけでなく、液晶カーテンのような可動部を備えない遮光設備も含む。
【００１５】
表示装置３は、液晶ディスプレイ、有機ＥＬ（Ｅｌｅｃｔｒｏ−Ｌｕｍｉｎｅｓｃｅｎｃｅ）ディスプレイ等の表示デバイスを備えており、情報端末装置１が構築した画面を表示する。情報端末装置１と表示装置３との間のインタフェースは何でもよく、例えば、ＨＤＭＩ（登録商標）（Ｈｉｇｈ−Ｄｅｆｉｎｉｔｉｏｎ  Ｍｕｌｔｉｍｅｄｉａ  Ｉｎｔｅｒｆａｃｅ）を用いることができる。また、表示装置３がスマートホンやタブレット等の表示デバイスを備えた情報端末である場合は、情報端末装置１と表示装置３との間のインタフェースは、Ｅｔｈｅｒｎｅｔ（登録商標）のような有線の通信インタフェースである場合や、無線ＬＡＮ（Ｌｏｃａｌ  Ａｒｅａ  Ｎｅｔｗｏｒｋ）やＢｌｕｅｔｏｏｔｈ（登録商標）のような無線の通信インタフェースである場合もあり得る。
【００１６】
情報端末装置１は、図２に示すように、機能構成として、制御部１０と、記憶部２０と、通信部３１と、出力部３２と、を備える。
【００１７】
制御部１０は、ＣＰＵ（Ｃｅｎｔｒａｌ  Ｐｒｏｃｅｓｓｉｎｇ  Ｕｎｉｔ）を備え、記憶部２０に記憶されたプログラムを実行することにより、情報端末装置１の各部（機器状態取得部１１、画像取得部１２、位置取得部１３、画面構築部１４）の機能を実現する。
【００１８】
機器状態取得部１１は、後述する通信部３１を介して、遮光設備開閉センサ２から、遮光設備の開閉状態の情報を取得する。
【００１９】
画像取得部１２は、後述する画面構築部１４が表示画面を構築する際に必要となる遮光設備、他の設備、間取り図、模式図等の画像の情報を後述する記憶部２０から取得する。
【００２０】
位置取得部１３は、後述する画面構築部１４が表示画面を構築する際に必要となる、各設備の配置位置や、遮光設備と遮光設備開閉センサ２との対応関係を後述する記憶部２０から取得する。
【００２１】
画面構築部１４は、機器状態取得部１１で取得した遮光設備の開放量の情報と、画像取得部１２で取得した画像の情報と、位置取得部１３で取得した画像の画像位置の情報と、に基づき、遮光設備及び他の設備を含む建屋の間取り図又は模式図を構築する。
【００２２】
記憶部２０は、ハードウェアとしてＲＯＭ（Ｒｅａｄ  Ｏｎｌｙ  Ｍｅｍｏｒｙ)、ＲＡＭ（Ｒａｎｄｏｍ  Ａｃｃｅｓｓ  Ｍｅｍｏｒｙ）等を備える。ＲＯＭには制御部１０のＣＰＵが実行するプログラムや、プログラムを実行する上で予め必要なデータが記憶されている。ＲＡＭには、プログラム実行中に作成されたり変更されたりするデータが記憶される。記憶部２０は機能的には、画像情報記憶部２１、建屋情報記憶部２２、機器状態記憶部２３及び画面記憶部２４を備える。
【００２３】
画像情報記憶部２１は、図３（ａ）に示すように、遮光設備、家具等の他の設備、建屋の模式図及び間取り図の画像の情報を記憶する。図３（ａ）の例では、遮光設備の画像として、「画像ＩＤ」＃００１１の遮光設備１と、「画像ＩＤ」＃００２１のシャッター１が記憶されている。図３（ａ）で、「ベース種別」となっているのは、その画像データが建屋の模式図用のデータなのか、間取り図用のデータなのかを表す。模式図用なら１、間取り図用なら２である。「画像名称」は、その画像の名称を表す。「開く方向」はその遮光設備が閉鎖状態から開放状態になる際の開く方向を表す。「シンボル画像サイズ」は、対象となる設備を模したシンボル画像のサイズを表す。「シンボル画像データ」は、シンボル画像の画像データを示す。「アイコン画像サイズ」は、対象となる設備を見やすく表現するためのアイコン画像のサイズを表す。「アイコン画像データ」は、アイコン画像の画像データを示す。
【００２４】
これらの画像データにより表示される具体的な画像を図３（ｂ）〜図３（ｈ）に示す。図３（ｂ）で示される「遮光設備１」のシンボル画像は、窓を模した図形である。遮光設備は窓に設置されることが多いため、窓を模した画像で表現することで、様々なタイプの遮光設備を一括して表現する趣旨である。また、間取り図用のデータの場合、遮光設備の配置位置を示すシンボルの画像データ以外に、その遮光設備が何かをわかりやすく表現するためのアイコン画像のデータも存在している。例えば、図３（ｃ）はシャッター１の間取り図用のシンボル画像であるが、これだけではシャッターなのかカーテンなのか見分けがつかないので、図３（ｄ）に示すようなアイコン画像も用意されており、間取り図中では、シンボル画像とアイコン画像の両方ともを配置する。
【００２５】
遮光設備の画像中で、灰色となっている部分の明暗や面積等を変化させることで開閉量を示すのであるが、この詳細は後述する。図３（ａ）に示すように、画像情報記憶部２１には、これら遮光設備の画像データだけでなく、開く方向や画像サイズも記憶されているので、模式図や間取り図の上に遮光設備の画像を適切なサイズで、開閉量も含めて表現することが可能である。
【００２６】
画像情報記憶部２１には、また、他の設備の画像として、例えば、図３（ａ）の「シンボル画像データ」の項目に示すように、模式図用の「エアコン１」の画像である図３（ｅ）の画像や、間取り図用の「食卓１」の画像である図３（ｆ）の画像も記憶されている。これら他の設備の画像も配置することで、建屋の情報をよりわかりやすく表現することができる。
【００２７】
画像情報記憶部２１には、また、ベース画像として、模式図及び間取り図自体の画像も記憶されている。例えば、図３（ａ）では、模式図及び間取り図自体を示すベース画像として、「模式図１」及び「間取り図１」のベース画像が記憶されている。画像ＩＤが＃１００１は「模式図１」の画像データであり、図３（ｇ）に示す画像が記憶されている。また、画像ＩＤが＃２００１は「間取り図１」の画像データであり、図３（ｈ）に示す画像が記憶されている。このベース画像である模式図や間取り図の上に、遮光設備や他の設備の画像を重ね合わせることにより、ユーザに提示する画面が構築される。
【００２８】
建屋情報記憶部２２は、建屋内の部屋の構造を示すベース画像として、どの画像ＩＤのベース画像を、どの位置にどのようなサイズで配置するかを記憶する。また、建屋情報記憶部２２は、どの設備がどのようなサイズでどの部屋に配置されているかも記憶する。これらの情報は、画像情報記憶部２１に記憶されている画像をどのように配置して建屋の情報を表現させるかを示す建屋情報となる。ここで、建屋内の玄関や廊下等、一般には部屋とは言えない場所も、建屋情報においては部屋として扱う。また、建屋情報としては、各遮光設備がどの遮光設備開閉センサ２に対応しているかの情報も記憶する。例えば、図４（ａ）は、図４（ｂ）に示す建屋９の模式図の画面を構築するための建屋情報の例である。「ベースＩＤ」が＃１００１となっているので、図３（ａ）に示す画像情報記憶部２１を参照してベース画像として「模式図１」が選択される。そして、この「模式図１」の画像サイズを「ベースサイズ」にある７００×６００に伸縮し、「ベース位置」にある（０，６００）の座標に配置する。そして、「遮光設備数」が３となっているので、この後に「画像ＩＤ、シンボル画像の画像位置、シンボル画像の画像サイズ、センサＩＤ」という遮光設備の情報の４つの情報のセットが３つ存在する。
【００２９】
ここで、画像ＩＤは画像情報記憶部２１に記憶されている画像ＩＤを表す。図４（ａ）では、＃００１１となっているので、画像情報記憶部２１を参照して、「遮光設備１」が選択される。また、シンボル画像の画像位置は画面左下を（０，０）として、右方向にＸ、上方向にＹを取ったときの（Ｘ，Ｙ）で表している。シンボル画像の画像サイズについては、画像情報記憶部２１に記憶されている画像のサイズを、建屋情報記憶部２２に記憶されている画像サイズに合うように縦横に収縮して配置する。センサＩＤは、その遮光設備がどの遮光設備開閉センサ２に対応するかを示すセンサＩＤの情報である。
【００３０】
次に「他設備数」が１となっているので、この後に「画像ＩＤ、シンボル画像の画像位置、シンボル画像の画像サイズ」という他設備の情報の３つの情報のセットが１つ存在することになる。なお、遮光設備開閉センサ２以外に、他設備用のセンサも存在しているなら、当該他設備用のセンサのセンサＩＤを４番目のデータとして記述し、他設備の情報も４つの情報のセットとして構成しても良い。このようにすることで、遮光設備だけでなく、当該他の設備についても、その状態を取得して、遮光設備同様に、当該他の設備の設置位置と状態とを同時に確認できるようになる。
【００３１】
図４（ａ）に示す建屋情報記憶部２２のデータ例に基づき、画面を構築すると図４（ｂ）のような模式図の画面となる。この図で、書斎となっている部屋９０ｂの遮光設備９１ｂは、シンボル画像位置（１００，３００）とセンサＩＤとの対応に基づき、遮光設備開閉センサ２のセンサＩＤ＝２のセンサが対応することがわかる。同様に、寝室となっている部屋９０ｃの遮光設備９１ｃはシンボル画像位置が（５００，３２０）なので、遮光設備開閉センサ２のセンサＩＤ＝３のセンサが対応し、リビングとなっている部屋９０ａの遮光設備９１ａはシンボル画像位置が（１００，２００）なので、遮光設備開閉センサ２のセンサＩＤ＝１のセンサが対応することが、建屋情報記憶部２２に記憶されているシンボル画像位置とセンサＩＤの対応からわかる。
【００３２】
図５（ａ）は、図５（ｂ）に示す建屋９の間取り図の画面を構築するための建屋情報の例である。ベースＩＤが＃２００１となっているので、画像情報記憶部２１を参照してベース画像として「間取り図１」が選択される。そして、この「間取り図１」の画像サイズを「ベースサイズ」にある７００×９００に伸縮し、「ベース位置」にある（０，９００）の座標に配置する。そして、「遮光設備数」が３となっているので、この後に「画像ＩＤ、シンボル画像の配置位置、シンボル画像の描画サイズ、アイコン画像の配置位置、アイコン画像の描画サイズ、センサＩＤ」という遮光設備の情報の６つの情報のセットが３つ存在する。間取り図の場合は、上から見た図であるシンボル画像だけでは遮光設備の開閉量を表現することが難しい場合が多いため、アイコン画像も存在する。したがって、図５（ａ）に示す間取り図の建屋情報記憶部２２のデータ量は、図４（ａ）に示す模式図の建屋情報記憶部２２のデータ量よりも多くなる。
【００３３】
図５（ａ）に示す例では、遮光設備の画像ＩＤは、＃００２１、＃００２２、＃００３１の３種類になっている。＃００２２及び＃００３１の画像ＩＤの画像データは図３（ａ）には示さなかったが、画像情報記憶部２１に記憶されており、＃００２２は、左から右に開く「シャッター２」、＃００３１は中央から左右に開く「カーテン１」である。
【００３４】
図５（ａ）の建屋情報記憶部２２のデータに基づき、画面を構築すると図５（ｂ）のような画面になる。図５（ｂ）において、左下の部屋９０ｃのシャッター２は遮光設備開閉センサ２のセンサＩＤ＝５のセンサが対応することが、シャッター２を示すシンボル画像９１ｃの画像位置（３００，３５）やアイコン画像９２ｃの画像位置（３００，２００）とセンサＩＤとの対応からわかる。また、図５（ｂ）の右下の部屋９０ｂのシャッター１は遮光設備開閉センサ２のセンサＩＤ＝４のセンサが対応することが、シャッター１を示すシンボル画像９１ｂの画像位置（５１０，３０）やアイコン画像９２ｂの画像位置（５００，２００）とセンサＩＤとの対応からわかる。
【００３５】
また、図５（ｂ）の上の部屋９０ａのカーテン１は遮光設備開閉センサ２のセンサＩＤ＝６のセンサが対応することが、カーテン１を示すシンボル画像９１ａの画像位置（３４０，４５０）やアイコン画像９２ａの画像位置（３５０，６００）とセンサＩＤとの対応からわかる。また、部屋９０ａには食卓９３ａが存在することも、建屋情報記憶部２２に記憶されている他設備の画像ＩＤ＃０２１１とそのシンボル画像位置（５５０，７００）との情報からわかる。
【００３６】
情報端末装置１を工場から出荷する際又は販売店で販売する際には、その情報端末装置１のユーザの住んでいる住居に存在する設備の情報や、建屋９の情報に基づき、画像情報記憶部２１や建屋情報記憶部２２に必要なデータを記憶してから出荷又は販売する。ユーザ毎にカスタマイズするのが煩雑な場合は、市場に流通している代表的な設備をできるだけ多く画像情報記憶部２１に記憶しておくようにしても良い。建屋情報記憶部２２については、ユーザの建屋９にカスタマイズすることが必要なので、模式図や間取り図をユーザが画面上で編集した結果を建屋情報記憶部２２に記憶させることができるアプリケーションソフトを情報端末装置１に内蔵させても良い。
【００３７】
機器状態記憶部２３は、機器状態取得部１１が取得した遮光設備の開閉状態を記憶する。開閉状態に変化があるかどうかを判定するために用いる。
【００３８】
画面記憶部２４は、画面構築部１４が構築する画面の情報を記憶する。表示装置３がＨＤＭＩ（登録商標）、ＤＶＩ（Ｄｉｇｉｔａｌ  Ｖｉｓｕａｌ  Ｉｎｔｅｒｆａｃｅ）等の映像インタフェースで接続される場合や、情報端末装置１に含まれる場合は、画面記憶部２４は所謂ビデオＲＡＭであり、画面記憶部２４の記憶アドレスと画面上の出力位置とが対応し、画面記憶部２４に書き込まれるデータの値は、画面上の色や明暗に対応している。表示装置３がスマートホンやタブレット等の表示デバイスを備えた情報端末である場合は、画面記憶部２４はビデオＲＡＭではなく、表示装置３の表示デバイスに出力される表示データが記憶される。この場合、この表示データをどのようなデータ構造にするかは任意であるが、以下の説明ではこの表示データを記憶する場合も、画面記憶部２４の記憶アドレスと表示装置３の画面上の出力位置とが対応し、画面記憶部２４に書き込まれるデータの値が、表示装置３の画面上の色や明暗に対応しているものとして説明する。
【００３９】
通信部３１は、情報端末装置１が遮光設備開閉センサ２から遮光設備の開放量を取得するために、通信を行う通信デバイスである。これは任意の通信デバイスを利用可能である。通信インタフェースにも制限はなく、例えばＥｔｈｅｒｎｅｔ（登録商標）のような有線の通信インタフェースでも良いし、無線ＬＡＮやＢｌｕｅｔｏｏｔｈ（登録商標）のような無線の通信インタフェースでも良い。
【００４０】
出力部３２は、画面構築部１４が構築し、画面記憶部２４に書き込んだ画面を表示装置３に出力するための出力インタフェースである。このインタフェースは何でも良く、例えばＨＤＭＩ（登録商標）が用いられる。なお、情報端末装置１が表示デバイスを備えている場合、出力部３２が表示装置３と一体化していると考えても良い。また、表示装置３がスマートホンやタブレット等の表示デバイスを備えた情報端末である場合は、出力部３２は、Ｅｔｈｅｒｎｅｔ（登録商標）のような有線の通信インタフェースでも良いし、無線ＬＡＮやＢｌｕｅｔｏｏｔｈ（登録商標）のような無線の通信インタフェースでも良い。いずれの場合も、表示装置３は、出力部３２からの情報を受け取ることができるインタフェースを備えている。
【００４１】
次に、実施の形態１に係る情報端末装置１が行う画面構築処理について、図６を参照して説明する。画面構築処理は、情報端末装置１の制御プログラムが起動すると開始され、この処理により、各機器の状態が設置場所とともにわかりやすく出力される。情報端末装置１の制御プログラムは情報端末装置１の電源を入れると起動するので、情報端末装置１の電源を入れると、画面構築処理が開始される。
【００４２】
まず、機器状態取得部１１が、通信部３１を介して、遮光設備開閉センサ２から遮光設備の開閉状態を取得する（ステップＳ１０１）。そして、制御部１０は、機器状態取得部１１が取得した遮光設備の開閉状態を機器状態記憶部２３に記憶する（ステップＳ１０２）。次に、画像取得部１２が画像情報記憶部２１から表示画面構築に必要な画像の情報を取得し、位置取得部１３が建屋情報記憶部２２から表示画面構築に必要な画像の位置及びセンサＩＤとの対応の情報を取得する（ステップＳ１０３）。
【００４３】
次に、ステップＳ１０１で取得した遮光設備の開閉状態とステップＳ１０２で取得した各種情報とに基づき、画面構築部１４は、図４（ｂ）や図５（ｂ）のような建屋９の画面を構築して画面記憶部２４に書き込む。そして、画面構築部１４が構築した画面を表示する情報が出力部３２から表示装置３に出力される（ステップＳ１０４）。
【００４４】
次に制御部１０は３０秒待つ（ステップＳ１０５）。遮光設備の開閉には一定の時間がかかるので、開閉状態の描画はそれほど頻繁に更新する必要はない。頻繁に遮光設備開閉状態を取得するのは省電力の観点でも無駄なので、ここで３０秒の待機時間を設けている。この３０秒というのは、予め設定された待機時間の一例であり、待機時間は１分、２０秒等の任意の時間を設定可能である。なお、制御部１０は図示しないタイマーを備えており、このタイマーを利用して待機時間を計測する。
【００４５】
次に、再度、機器状態取得部１１が、通信部３１を介して、遮光設備開閉センサ２から遮光設備の開閉状態を取得する（ステップＳ１０６）。そして、制御部１０は、機器状態記憶部２３に記憶されている開閉状態と今取得した開閉状態とを比較することで、遮光設備の開閉状態に変化があるかどうかを判定する（ステップＳ１０７）。
【００４６】
開閉状態に変化があるなら（ステップＳ１０７；Ｙｅｓ）、ステップＳ１０２に戻って、今取得した開閉状態を機器状態記憶部２３に記憶する。開閉状態に変化がないなら（ステップＳ１０７；Ｎｏ）、制御部１０は制御プログラムが動作中かを判定する（ステップＳ１０８）。
【００４７】
制御プログラムが動作中であれば（ステップＳ１０８；Ｙｅｓ）、ステップＳ１０５に戻る。制御プログラムが動作中でなければ（ステップＳ１０８；Ｎｏ）、処理を終了する。
【００４８】
次に、ステップＳ１０４での画面構築・出力処理について説明する。この処理は、画面構築部１４が、建屋９の模式図や間取り図の上に、遮光設備の開閉量を表現する画面を構築し、出力部３２を介して出力する処理である。この開閉量の表現の方法には、（１）シンボル画像の色の明暗による方法、（２）シンボル画像の色の明暗＋数値表示による方法、（３）遮光設備が設置された部屋の色の明暗による方法、（４）遮光設備が設置された部屋の色の明暗＋数値表現による方法、（５）開放量を示す画像による方法、（６）開放量を示す画像＋数値表現による方法がある。これら６つの方法のどれで出力するかは情報端末装置１の生産時にモデル毎に選択されていても良いし、購入後にユーザが選択可能にしても良い。後者の場合は、情報端末装置１は内部にこの６つの方法の全てを処理する能力を備えており、それをユーザが任意に選択できる。この６つの方法について順に説明する。
【００４９】
最初に、（１）のシンボル画像の色の明暗による画面構築・出力処理について、図７を参照して説明する。
【００５０】
まず、画面構築部１４は、建屋情報記憶部２２から取得したベースＩＤで示される画像ＩＤの模式図又は間取り図の画像データを画像情報記憶部２１から取得し、建屋情報記憶部２２から取得したベースサイズに伸縮し、ベース位置に対応する画面記憶部２４のアドレスに書き込む（ステップＳ２０１）。
【００５１】
次に、画面構築部１４は、建屋情報記憶部２２から取得した他設備の画像ＩＤの画像データを画像情報記憶部２１から取得し、建屋情報記憶部２２から取得した画像サイズに伸縮し、建屋情報記憶部２２から取得した画像位置に対応する画面記憶部２４のアドレスに書き込む（ステップＳ２０２）。
【００５２】
次に、画面構築部１４は、建屋情報記憶部２２から取得した遮光設備の画像ＩＤの画像データを画像情報記憶部２１から取得し、建屋情報記憶部２２から取得した画像サイズに伸縮する。そして、図６のステップＳ１０１又はステップＳ１０６で取得した遮光設備の開閉量に基づき、画像データ中の灰色部分の明暗を変更する（ステップＳ２０３）。この明暗は、例えば図８及び図９に示すシンボル画像９１ａ、９１ｂ及び９１ｃの色の明暗に示されるように、全開放なら１００％の明度である白に、７５％開放なら７５％の明度の灰色に、５０％開放なら５０％の明度の灰色に、全閉鎖なら０％の明度である黒にすることができる。また、図８及び図９では白〜灰色〜黒で示しているが、白〜水色〜青〜紺など、色＋明度で示しても良い。
【００５３】
灰色部分の明暗を変更することにより、遮光設備の他の部分との明度の差がなくなる場合は、見づらいので、遮光設備の他の部分の明度や色を変更しても良い。例えば図８（ｄ）では、灰色部分を黒にしたため、シンボル画像９１の枠の色を黒から薄い灰色に変更している。
【００５４】
そして、画面構築部１４は、明暗を変更した遮光設備の画像データを建屋情報記憶部２２から取得した画像位置に対応する画面記憶部２４のアドレスに書き込み（ステップＳ２０４）、終了する。
【００５５】
以上の処理により、図８及び図９に示す画面が出力され、遮光設備の開閉量が、表示画面上の遮光設備のシンボル画像９１の色の明暗によって判別できるようになる。図８は模式図、図９は間取り図により、建屋９内の部屋９０や設備を描画した例である。図８に示す模式図には、建屋９内に配置された部屋９０ａ、９０ｂ、９０ｃと、各部屋９０ａ、９０ｂ、９０ｃそれぞれに配置された遮光設備のシンボル画像９１ａ、９１ｂ、９１ｃと、部屋９０ｃに配置された他設備のシンボル画像９３ｃが描画されている。図９に示す間取り図には、建屋９内に配置された部屋９０ａ、９０ｂ、９０ｃと、各部屋９０ａ、９０ｂ、９０ｃそれぞれに配置された遮光設備のシンボル画像９１ａ、９１ｂ、９１ｃと、遮光設備のアイコン画像９２ａ、９２ｂ、９２ｃと、部屋９０ａに配置された他設備のシンボル画像９３ａが描画されている。
【００５６】
図８（ａ）は、全ての遮光設備が全開放になっていた場合の図で、遮光設備のシンボル画像９１は全て白色で表現されている。図８（ｂ）は、全ての遮光設備が７５％開放状態になっていた場合の図で、遮光設備のシンボル画像９１は明度７５％の灰色で表現されている。図８（ｃ）は、全ての遮光設備が５０％開放になっていた場合の図で、遮光設備のシンボル画像９１は明度５０％の濃い灰色で表現されている。図８（ｄ）は、全ての遮光設備が全閉鎖になっていた場合の図で、遮光設備シンボル画像９１は黒色で表現されている。
【００５７】
図９は、カーテン１が全開放、シャッター１が全閉鎖、シャッター２が７５％開放になっていた場合の図で、カーテン１のシンボル画像９１ａは白、シャッター１のシンボル画像９１ｂは黒、シャッター２のシンボル画像９１ｃは明度７５％の灰色で表現されている。
【００５８】
次に、（２）のシンボル画像の色の明暗＋数値表現による画面構築・出力処理について、図１０を参照して説明する。
【００５９】
ステップＳ３０１〜ステップＳ３０４の処理は、図７を参照して説明したステップＳ２０１〜ステップＳ２０４と同じ処理である。ステップＳ３０５では、画面構築部１４は、遮光設備の開閉量を数値にしたものを、ステップＳ３０４で書き込んだ遮光設備の画像データの上に書き込み（ステップＳ３０５）、終了する。
【００６０】
以上の処理により、図１１や図１２に示すような画面が出力され、遮光設備の開閉量が、表示画面上の遮光設備の明暗と数値によって判別できるようになる。図１１は模式図、図１２は間取り図の例である。
【００６１】
図１１は、書斎９０ｂの遮光設備が全開放、寝室９０ｃの遮光設備が７５％開放、リビング９０ａの遮光設備が全閉鎖になっていた場合の図で、書斎９０ｂの遮光設備のシンボル画像９１ｂは白色、寝室９０ｃの遮光設備のシンボル画像９１ｃは明度７５％の灰色、リビング９０ａの遮光設備のシンボル画像９１ａは黒色になっていて、それぞれ開放量が数値で表現されている。
【００６２】
図１２は、カーテン１が全開放、シャッター１が全閉鎖、シャッター２が７５％開放になっていた場合の図で、カーテン１のシンボル画像９１ａは白、シャッター１のシンボル画像９１ｂは黒、シャッター２のシンボル画像９１ｃは明度７５％の灰色になっていて、それぞれ開放量が数値で表現されている。なお、図１２では開放量の数値は遮光設備のシンボル画像９１の上に配置しているが、遮光設備のアイコン画像９２の上に配置しても良い。
【００６３】
また、開閉量の数値を描画する際の明度は、遮光設備の画像データの明暗との兼ね合いで、見づらくならない明度に設定する。例えば、開閉量が５０％以下の場合は、遮光設備の明度が５０％以下になり、開閉量の数値を黒で描画すると見づらくなるため、図１１では、リビング９０ａの開閉量数値「０％」を白文字で描画している。また、開閉量の数値を黒で描画する場合、遮光設備の画像データ中の黒い部分と重なると見づらい。したがって、数値の表示色と遮光設備の画像データ中の色とが近い色になる場合は、遮光設備の画像データ中のその色を変更しても良い。図１１では、書斎や寝室の遮光設備の枠は、黒から灰色に色を変更することで、黒で描画している数値が見づらくならないようにしている。
【００６４】
次に、（３）の遮光設備が設置された部屋の色の明暗による画像構築・出力方法について、図１３を参照して説明する。
【００６５】
まず、画面構築部１４は、建屋情報記憶部２２から取得したベースＩＤで示される画像ＩＤの模式図又は間取り図の画像データをベース画像として、画像情報記憶部２１から取得し、建屋情報記憶部２２から取得したベースサイズに伸縮する。そして、建屋情報記憶部２２に記憶されている各遮光設備のシンボル位置又はアイコン位置に対応する部屋の色の明暗を、当該遮光設備の開閉量に基づいて変更する（ステップＳ４０１）。この明暗は、図７のステップＳ２０３と同様に設定すれば良い。
【００６６】
そして、画面構築部１４は、部屋の明暗を変更したベース画像を、建屋情報記憶部２２から取得したベース位置に対応する画面記憶部２４のアドレスに書き込む（ステップＳ４０２）。
【００６７】
次に、画面構築部１４は、建屋情報記憶部２２から取得した他設備の画像ＩＤの画像データを画像情報記憶部２１から取得し、建屋情報記憶部２２から取得した画像サイズに伸縮し、建屋情報記憶部２２から取得した画像位置に対応する画面記憶部２４のアドレスに書き込む（ステップＳ４０３）。
【００６８】
そして、画面構築部１４は、建屋情報記憶部２２から取得した遮光設備の画像ＩＤの画像データを画像情報記憶部２１から取得し、建屋情報記憶部２２から取得した画像サイズに伸縮し、建屋情報記憶部２２から取得した画像位置に対応する画面記憶部２４のアドレスに書き込み（ステップＳ４０４）、終了する。
【００６９】
以上の処理により、図１４や図１５に示すような画面が出力され、遮光設備の開閉量が、表示画面上の部屋の色の明暗によって判別できるようになる。図１４は、書斎である部屋９０ｂの遮光設備が全開放、寝室である部屋９０ｃの遮光設備が７５％開放、リビングである部屋９０ａの遮光設備が２５％開放になっていた場合の模式図である。書斎である部屋９０ｂが白色、寝室である部屋９０ｃが明度７５％の灰色、リビングである部屋９０ａが明度２５％の灰色で示されている。
【００７０】
図１５は、カーテン１が全開放、シャッター１が２５％開放、シャッター２が７５％開放になっていた場合の間取り図である。カーテン１が設置されている部屋９０ａが白色、シャッター１が設置されている部屋９０ｂが明度２５％の濃い灰色、シャッター２が設置されている部屋９０ｃが明度７５％の灰色で示されている。
【００７１】
次に、（４）の遮光設備が設置された部屋の色の明暗＋数値表現による画面構築・出力処理について、図１６を参照して説明する。
【００７２】
ステップＳ５０１〜ステップＳ５０４の処理は、図１３を参照して説明したステップＳ４０１〜ステップＳ４０４と同じ処理である。ステップＳ５０５では、画面構築部１４は、遮光設備の開閉量を数値にしたものを、ステップＳ５０１で明暗を変更した部屋の画像データの上に書き込み（ステップＳ５０５）、終了する。この数値は、ベース画像の部屋の中で、遮光設備のシンボル画像９１及びアイコン画像９２並びに他設備のシンボル画像９３が配置されていない領域に描画するのが望ましい。
【００７３】
以上の処理により、図１７や図１８に示すような画面が出力され、遮光設備の開閉量が、表示画面上の部屋の色の明暗と数値によって判別できるようになる。図１７は図１４と同じ状況の図であり、図１８は図１５と同じ状況の図である。
【００７４】
次に、（５）の開放量を示す画像による画面構築・出力処理について、図１９を参照して説明する。
【００７５】
ステップＳ６０１〜ステップＳ６０２の処理は、図７を参照して説明したステップＳ２０１〜ステップＳ２０２と同じ処理である。
【００７６】
ステップＳ６０３では、画面構築部１４は、建屋情報記憶部２２から取得した遮光設備の画像ＩＤの画像データを画像情報記憶部２１から取得し、建屋情報記憶部２２から取得した画像サイズに伸縮する。そして、図６のステップＳ１０１又はステップＳ１０６で取得した遮光設備の開閉量に基づき、画像データ中の灰色部分の面積を変更する（ステップＳ６０３）。この面積変更は、例えば図２０のシンボル画像９１や図２１のアイコン画像９２に示すように、全開放なら灰色の面積を０にし、７５％開放なら灰色の面積を２５％にし、５０％開放なら灰色の面積を５０％にし、全閉鎖なら灰色の面積を変更しない。
【００７７】
そして、画面構築部１４は、面積を変更した遮光設備の画像データを建屋情報記憶部２２から取得した画像位置に対応する画面記憶部２４のアドレスに書き込み（ステップＳ６０４）、終了する。
【００７８】
以上の処理により、図２０及び図２１に示す画面が出力され、遮光設備の開閉量が、表示画面上の遮光設備の灰色部分の面積によって判別できるようになる。
【００７９】
図２０は、書斎である部屋９０ｂの遮光設備が全開放、寝室である部屋９０ｃの遮光設備が７５％開放、リビングである部屋９０ａの遮光設備が２５％開放になっていた場合の模式図の例である。書斎である部屋９０ｂの遮光設備のシンボル画像９１ｂの灰色部分の面積が０、寝室である部屋９０ｃの遮光設備のシンボル画像９１ｃの灰色部分の面積が２５％、リビングである部屋９０ａの遮光設備のシンボル画像９１ａの灰色部分が７５％で描画されている。灰色部分をどちらから無くしていくかは、画像情報記憶部２１の「開く方向」に記憶されている。なお、図２０は、設置されている遮光設備の「開く方向」が全て「右から左」だった場合の図である。
【００８０】
図２１は、カーテン１が全開放、シャッター１が２５％開放、シャッター２が７５％開放になっていた場合の間取り図の例である。カーテン１のアイコン画像９２ａの灰色部分の面積は０、シャッター１のアイコン画像９２ｂの灰色部分の面積は７５％、シャッター２のアイコン画像９２ｃの灰色部分の面積は２５％で描画されている。なお、図２１は、カーテン１の「開く方向」が「中央から左右」、シャッター１の開く方向が「下から上」、シャッター２の開く方向が「左から右」だった場合の図である。
【００８１】
次に、（６）の開放量を示す画像＋数値表現による画面構築・出力処理について、図２２を参照して説明する。
【００８２】
ステップＳ７０１〜ステップＳ７０４は、図１９を参照して説明したステップＳ６０１〜ステップＳ６０４と同じ処理である。ステップＳ７０５では、画面構築部１４は、遮光設備の開閉量を数値にしたものを、ステップＳ７０４で書き込んだ遮光設備の画像データの上に書き込み（ステップＳ７０５）、終了する。
【００８３】
以上の処理により、図２３や図２４に示すような画面が出力され、遮光設備の開閉量が、表示画面上の遮光設備の灰色部分の面積と数値によって判別できるようになる。図２３は図２０と同じ状況の図であり、図２４は図２１と同じ状況の図である。
【００８４】
また、実施の形態１に係る情報端末システム１０００において、スマートホンやタブレット等の情報端末を表示装置３として使用する場合、画面構築部１４が、画面記憶部２４に表示データを書き込むのではなく、描画情報生成部（図示せず）が、機器状態取得部１１で取得した遮光設備の開放量の情報と、画像取得部１２で取得した画像の情報と、位置取得部１３で取得した画像の画像位置の情報と、に基づいて、遮光設備及び他の設備を含む建屋の間取り図又は模式図を描画するための描画情報を生成する構成としても良い。この場合、描画情報生成部が生成した描画情報を出力部３２が表示装置３に出力し、表示装置３は、出力部３２から出力された描画情報に基づいて、自機の備える表示デバイスに遮光設備及び他の設備を含む建屋の間取り図又は模式図を描画する。ここで、描画情報とは、例えば、画面上における設備や建屋を示す画像の表示サイズ、表示位置、表示色、表示形状等の、表示装置３が画面を描画するための情報である。したがって、スマートホンやタブレット等の情報端末を表示装置３として使用する場合、情報端末装置１は、画面記憶部２４を備えなくてもよく、描画情報生成部は画面構築部１４と同様の処理で画面を構築し、その構築した画面を描画するための描画情報を生成する。
【００８５】
以上で説明したように、実施の形態１に係る情報端末システムによれば、建屋９内に設置された複数の遮光設備の設置場所と開閉状態を直感的に判断できる画面を表示することができる。
【００８６】
（実施の形態１の変形例）
なお、上述の実施の形態１で建屋９の間取り図を出力させると、遮光設備のアイコン画像が表示されるので、アイコン画像により部屋の間取りの一部が隠れてしまう。また、遮光設備以外のアイコン画像を表示させたい場合もある。そこで、図２８に示す機器・設備選択領域８を画面上に配置して、ユーザがどの機器・設備のアイコンを表示するかを選択できるようにした実施の形態１の変形例について説明する。
【００８７】
実施の形態１の変形例に係る情報端末システム１０００の構成は実施の形態１と同じであり、図１に示す。実施の形態１の変形例に係る情報端末装置１の機能構成は、図２５に示すように、実施の形態に係る情報端末装置１の機能構成に加えて入力部３３を備え、記憶部２０内に選択機器記憶部２５を備える。また、画像情報記憶部２１は、図２６に示すように、間取り図用の画像に、その機器の種別を示す項目である「機器種別」が追加されている。図２６の例では、機器種別が１であれば遮光設備、機器種別が２であればＡＶ機器、機器種別が３であれば空調機器であることを示している。そして、これらＡＶ機器や空調機器は、遮光設備ではない他設備であるが、間取り図用のデータにはシンボル画像だけでなくアイコン画像も定義されている。
【００８８】
また、図示しないが、建屋情報記憶部２２には、他設備のデータに対しても、アイコン画像位置及びアイコン画像サイズが定義されている。そして、空調機器やＡＶ機器の動作状況を検出する他設備用のセンサが用意されている場合は、当該センサのセンサＩＤも設定可能である。
【００８９】
入力部３３は、情報端末装置１がユーザからの操作を受け付けるための入力デバイスである。例えばキーボード、マウス、タッチパネル等である。ユーザが、画面上に配置された機器・設備選択領域８の機器・設備アイコン８１，８２，８３を、タップ、クリック、カーソル移動＋エンターキー等で選択／非選択したことが入力部３３により入力される。
【００９０】
選択機器記憶部２５は、ユーザが入力部３３を介して選択した、アイコンを表示する機器の種類を記憶する。
【００９１】
では、実施の形態１の変形例に係る情報端末装置１が行う画面構築処理について、図２７を参照して説明する。
【００９２】
まず、制御部１０が、選択機器記憶部２５に記憶されているデータを初期化する（ステップＳ８０１）。この初期化処理では、通常、遮光設備を示す「１」を選択機器記憶部２５にセットする。ステップＳ８０２〜ステップＳ８０４は、図６のステップＳ１０１〜ステップＳ１０３と同じ処理である。
【００９３】
そして、ステップＳ８０５では、画面構築部１４が、機器・設備選択領域８も画面に配置するように画面構築することと、選択機器記憶部２５に記憶された値に示される機器種別で表されるアイコン画像を選択して画面構築を行う点以外は、図６のステップＳ１０４の処理と同じである。なお、選択機器記憶部２５に記憶された値が０の場合は、画面構築部１４は全てのアイコン画像を表示しない。
【００９４】
次に制御部１０が３０秒待つ（ステップＳ８０６）のは、図６のステップＳ１０５と同じ処理である。そして、制御部１０は入力部３３を介して、ユーザが選択した機器を取得し、選択機器記憶部２５に記憶する（ステップＳ８０７）。なお、ユーザが全ての機器種別を解除する操作をした場合は選択機器記憶部２５には０が記憶される。
【００９５】
ステップＳ８０８〜ステップＳ８１０は、図６のステップＳ１０６〜ステップＳ１０８と同じ処理である。
【００９６】
ステップＳ８０７でのユーザの機器選択は、ユーザが画面上の機器・設備選択領域８の機器・設備アイコン８１，８２，８３を、タップ、クリック、カーソル移動＋エンターキー等で選択／非選択することにより行われる。
【００９７】
初期値としては、遮光設備が選択されているので、図２８に示すように、遮光設備のアイコン画像９２が表示される。ここで、ユーザが遮光設備を示す機器・設備アイコン８１をクリックして、遮光設備の選択を外すと、図２９に示すように、遮光設備のアイコン画像９２が非表示になる。また、ユーザがＡＶ機器を示す機器・設備アイコン８２をクリックしてＡＶ機器を選択すると、図３０に示すように、ＡＶ機器であるテレビ１のアイコン画像９４ａが表示される。また、ユーザが空調機器を示す機器・設備アイコン８３をクリックして空調機器を選択すると、図３１に示すように、空調機器であるエアコン２のアイコン画像９５ａが表示される。
【００９８】
以上のように、機器・設備選択領域８の機器・設備アイコン８１，８２，８３の選択／非選択の切り替えを行うことにより、選択した種別に属する機器のアイコン画像のみが表示される。したがって、間取り図の限られた領域の上に表示するアイコン画像を切り替えて、ユーザが必要な機器又は設備に絞って情報を確認することが可能となる。
【００９９】
（実施の形態２）
実施の形態１では、遮光設備の開閉状態を確認するのみで、開閉を制御することはできなかった。そこで、ＧＵＩ（Ｇｒａｐｈｉｃａｌ  Ｕｓｅｒ  Ｉｎｔｅｒｆａｃｅ）により、電動遮光設備の開閉を制御できるようにした実施の形態２について説明する。
【０１００】
本発明の実施の形態２に係る情報端末システム２０００は、図３２に示すように、情報端末装置１と、１つ以上の電動遮光設備５と、表示装置３と、を備える。実施の形態１と同様に、情報端末装置１がスマートホンやタブレット等の表示デバイスを備えた情報端末装置１である場合は、独立した表示装置３を備えなくても良い。この場合は、情報端末装置１が表示装置３を含む。
【０１０１】
ここで、電動遮光設備５は、例えば、電動シャッターであり、外部からの制御信号を入力することによって電動で開閉でき、また、開閉状態を外部に通知可能な設備である。また表示装置３は、実施の形態１の表示装置３と同じである。
【０１０２】
情報端末装置１は、電動遮光設備５から、開閉状態の情報を受け取り、その情報に基づき、各電動遮光設備５の開閉状態を建屋内の設置場所と共に提示する画面を構築し、表示装置３に出力することができる。この点は、実施の形態１と同じである。ただし、建屋情報記憶部２２に記憶されている情報のうち「センサＩＤ」の項目は「電動遮光設備ＩＤ」となり、遮光設備開閉センサ２のＩＤの代わりに、電動遮光設備５のＩＤが記憶される。
【０１０３】
情報端末装置１は、さらに、図３３に示すように、機器制御部１５と操作画面生成部１６と制御内容取得部１７と入力部３３とを備えることにより、電動遮光設備５の開閉を制御可能である。図３３のこれ以外の構成要素は、図２に示す同じ符号の構成要素と同じであるが、通信部３１は、情報端末装置１と電動遮光設備５との通信を行うデバイスとなる。この通信は、電動遮光設備５の開閉量を取得する通信と、電動遮光設備５の開閉を制御する通信の２種類がある。情報端末装置１は、開閉量取得用の通信部３１と、開閉制御用の通信部３１の、二つの通信部３１を備えても良い。また、情報端末装置１は、一つの通信部３１のみを備え、この一つの通信部３１が、開閉量を取得する通信と開閉を制御する通信の、２種類の通信を行っても良い。
【０１０４】
入力部３３は、情報端末装置１がユーザからの操作を受け付けるための入力デバイスである。例えば、情報端末装置１がコンピュータの場合は、入力部３３として、キーボード、マウスを備える。情報端末装置１がスマートホンやタブレットの場合は、入力部３３として、タッチパネルや押しボタンを備える。
【０１０５】
機器制御部１５は、電動遮光設備５に対して、通信部３１を介して開閉を制御する制御信号を送信する。
【０１０６】
操作画面生成部１６は、電動遮光設備５の制御を行うための操作画面を生成する。
【０１０７】
制御内容取得部１７は、入力部３３を介して、電動遮光設備５の制御内容を取得する。
【０１０８】
実施の形態２に係る情報端末装置１による、電動遮光設備５の開閉制御処理について、図３４を参照して説明する。この開閉制御処理は、制御プログラムにより出力された情報端末装置１の画面上で、ユーザが任意の電動遮光設備５を選択すると、開始される。例えば、図４（ｂ）の模式図や図５（ｂ）の間取り図において、遮光設備を示すシンボル画像９１や、アイコン画像９２を選択、タップ又はクリックすることにより、開始される。
【０１０９】
電動遮光設備５が選択されると、操作画面生成部１６は、電動遮光設備５の制御を行うための操作画面を生成する（ステップＳ９０１）。次に、制御内容取得部１７は、入力部３３を介して、ユーザからの制御操作を受け付けて、制御内容を取得する（ステップＳ９０２）。そして、取得した制御内容にしたがった制御信号を、機器制御部１５が、通信部３１を介して電動遮光設備５に送信する（ステップＳ９０３）。
【０１１０】
次に、送信された制御信号による電動遮光設備５の処理が終了するまで待つために、制御部１０は通信部３１を介して電動遮光設備５の状態を取得して、電動遮光設備５が制御処理中か否かを判定する（ステップＳ９０４）。電動遮光設備５が制御処理中であるなら（ステップＳ９０４；Ｙｅｓ）、電動遮光設備５の状態取得と制御処理中か否かの判定を繰り返す（ステップＳ９０４）。
【０１１１】
電動遮光設備５が制御処理中でなくなったら（ステップＳ９０４；Ｎｏ）、機器状態取得部１１は、通信部３１を介して、電動遮光設備５の開閉状態を取得する（ステップＳ９０５）。そして、制御部１０は、機器状態取得部１１が取得した電動遮光設備５の開閉状態が、機器制御部１５がステップＳ９０３で送信した制御信号で示される制御内容と一致するか否かを判定する（ステップＳ９０６）。
【０１１２】
一致するなら（ステップＳ９０６；Ｙｅｓ）、ステップＳ９０５で取得した開閉状態に基づき、画面構築部１４が出力画面を更新し（ステップＳ９０８）、終了する。一致しなければ（ステップＳ９０６；Ｎｏ）、ステップＳ９０２でユーザから取得した制御内容の状態にはならなかった旨を通知する警告表示を行い（ステップＳ９０７）、ステップＳ９０５で取得した開閉状態に基づき、画面構築部１４が出力画面を更新し（ステップＳ９０８）、終了する。
【０１１３】
ここで、ステップＳ９０８における画面更新処理は、図６のステップＳ１０３〜ステップＳ１０４の処理により行われる。
【０１１４】
上記中、ステップＳ９０１で生成される操作画面は、電動遮光設備５の開閉のタイプによって異なる。この開閉のタイプは、画像情報記憶部２１の「開く方向」の項目に記憶されているので、対称となる電動遮光設備５の開閉のタイプは、画像情報記憶部２１を参照することで取得することができる。まず、電動遮光設備５が右から左へ開くタイプの場合の操作画面例に詳細を説明し、他のタイプについては、後述する。
【０１１５】
図３５は、電動遮光設備５が右から左へ開くタイプの場合の操作画面例である。図３４のステップＳ９０１で生成され、操作画面１００は、外枠１０６、状態表示領域１０１、操作シンボル１０２を備える。状態表示領域１０１は、開状態を示す状態表示領域１０１ａと、閉状態を示す状態表示領域１０１ｂとからなり、操作シンボル１０２は、状態表示領域１０１ａと状態表示領域１０１ｂとの境界に表示される。
【０１１６】
図３５の操作画面例は、右から左へ開くタイプの遮光設備であり、例えば、図３（ａ）に記載されている画像ＩＤ＃００１１の「遮光設備１」が該当する。図４（ｂ）の模式図において、遮光設備を示すシンボル画像９１を選択、タップ又はクリックすることにより、図４（ｂ）の画面上に表示される。その際、表示された時点での電動遮光設備５の開閉量に応じた状態で表示される。なお、図５（ｂ）の間取り図においても、右から左へ開くタイプの遮光設備のシンボル画像９１又はアイコン画像９２が存在している場合は、シンボル画像９１又はアイコン画像９２を選択、タップ又はクリックすることにより、図３５の例に示す操作画面が図５（ｂ）の画面上に表示される。
【０１１７】
図３５の例では、電動遮光設備５は、開状態及び閉状態の他に、少なくとも３段階の中間状態を取ることが可能であることが示されている。図３５（ａ）は全開放状態、図３５（ｂ）は７５％開放状態、図３５（ｃ）は５０％開放状態、図３５（ｄ）は２５％開放状態、図３５（ｅ）は全閉鎖状態であることを示している。なお、図３５は、右から左へ開くタイプの遮光設備の生成例であるため、操作シンボルが状態表示領域１０１の左端にある状態が全開状態、右端にある状態が全閉状態となる。
【０１１８】
図３４のステップＳ９０２での制御内容を取得する際の、ユーザによる制御の入力方法を説明する。ユーザは、図３５の操作シンボル１０２をドラッグ又はスライドして左右に動かすことにより、開閉量を入力する。操作シンボル１０２がどこまでドラッグ又はスライドされたかを入力部３３を介して制御内容取得部１７が取得する。図３５は、右から左へ開くタイプの遮光設備の場合なので、ドラッグする方向は、開放する場合は左方向、閉鎖する場合は右方向となる。またドラッグする量は、電動遮光設備５を全開放したい場合は状態表示領域１０１の左端まで、全閉鎖したい場合は状態表示領域１０１の右端まで、５０％開放したい場合は、状態表示領域１０１の中間地点までドラッグすればよい。
【０１１９】
電動遮光設備５の開閉量は、例えば１００％、７５％、５０％、２５％、０％のように、何種類かの特定の値に限定されている場合がある。この場合において、ユーザが操作シンボル１０２をドラッグした位置が、それら特定の値に対応する位置では無かった場合は、図３４のステップＳ９０３で送信する制御信号の内容は、電動遮光設備５が取り得る開閉量の中で、ドラッグされた位置に最も近い開閉量を指示するものにする。そして、図３５の操作画面１００における操作シンボル１０２の位置は、ユーザがドラッグした位置ではなく、ステップＳ９０３で送信される制御信号に対応する位置に変化することが望ましい。
【０１２０】
例えば、電動遮光設備５の取り得る開閉量が、図３５（ａ）〜図３５（ｅ）に示す５種類だった場合において、ユーザ操作により図３５（ｆ）に示す位置まで操作シンボル１０２がドラッグされた場合、送信する制御信号は図３５（ｂ）の開閉量に対応する７５％開放を指示する制御内容になり、操作画面はこの位置に最も近い図３５（ｂ）の操作画面に変化することになる。
【０１２１】
上述のように、操作画面生成部１６が、電動遮光設備５の開閉位置の境界部分に操作シンボル１０２を配置することにより、ユーザは、操作シンボル１０２をドラッグすると開閉制御を行えることが直感的に理解できる。
【０１２２】
なお、図３４のステップＳ９０４では、電動遮光設備５が開閉制御動作中である場合、その制御処理が終わるまで待つことになる。制御処理の終了を待っている間は、電動遮光設備５は操作を受け付けられない。したがって、図３６（ａ）に示す操作画面１００を表示して、ユーザによる操作を受け付けられないことがわかるようにするのが望ましい。
【０１２３】
また、図３４のステップＳ９０５で、情報端末装置１が電動遮光設備５の開閉状態を取得するのに時間がかかる場合も、やはりその間、電動遮光設備５は操作を受け付けることができない。したがって、図３６（ｂ）に示す操作画面１００を表示して、ユーザによる操作を受け付けられないことがわかるようにするのが望ましい。
【０１２４】
図３６では、操作画面１００の外枠１０６内全体をグレーアウトし、その上に現在のシステムの状態を示すメッセージを表示しているが、表現方法はこれに限らない。ユーザによる操作ができないことが直感的にわかる表現であればよい。また、図３６では、制御処理中と状態取得中の２つの状態について示したが、これ以外でも、ユーザが操作を受け付けられない状態が存在する場合には、同様の画面を表示することが可能である。
【０１２５】
以上、電動遮光設備５が、右から左に開くタイプの場合を例に説明したが、電動遮光設備５が、例えば下から上に開くタイプだったり、中央から左右に開くタイプだったりした場合は、そのような各タイプに合わせた操作画面を表示するのが望ましい。そこで、これらの例について、順に説明する。
【０１２６】
電動遮光設備５が下から上に開くタイプの場合の操作画面例について、図３７を参照して説明する。図３７の操作画面例も、図３５と同様、操作画面１００は、外枠１０６、状態表示領域１０１、操作シンボル１０２を備える。図３７の操作画面１００は、操作シンボル１０２を上下にドラッグすることにより、電動遮光設備５の開閉制御を行う。図３７（ａ）が全開放状態、図３７（ｂ）が７５％開放状態、図３７（ｃ）が５０％開放状態、図３７（ｄ）が２５％開放状態、図３７（ｅ）が全閉鎖状態である。
【０１２７】
電動遮光設備５が中央から左右に開くタイプの場合の操作画面例について、図３８を参照して説明する。図３８の操作画面例も、図３５と同様、操作画面１００は、外枠１０６、状態表示領域１０１、操作シンボル１０２を備える。中央から左右に開くタイプの電動遮光設備５の場合、全閉鎖時を除き、状態表示領域１０１ａと状態表示領域１０１ｂとの境界が２カ所存在する。そのため、図３８では、操作シンボル１０２もそれぞれの境界に表示している。しかし、電動遮光設備５が左右連動して対称に動作する場合は、どちらか片方のみに操作シンボル１０２を配置するようにしてもよい。
【０１２８】
なお、中央から左右対称に左右に開くタイプの電動遮光設備５の場合、図３８の操作画面１００での開閉操作としては、どちらか一方の操作シンボル１０２をドラッグするだけで左右対称に開閉が行われるようにしてもよいし、操作シンボル１０２を両方使用してピンチイン、ピンチアウトで行うようにしてもよい。また、どちらか一方の操作シンボル１０２のドラッグでも、操作シンボル１０２を両方使用してのピンチイン、ピンチアウトでも、どちらで行えるようにしてもよい。図３８（ａ）は全開放状態、図３８（ｂ）は７５％開放状態、図３８（ｃ）は５０％開放状態、図３８（ｄ）は全閉鎖状態である。
【０１２９】
また、中央から左右に開くが、左右対称ではなく、左右独立に開くタイプの電動遮光設備５の場合、図３８の操作画面１００での開閉操作としては、どちらか一方の操作シンボル１０２をドラッグすると、その一方側のみの開閉が行われるようにする。
【０１３０】
また、別のタイプの電動遮光装置５として、電動ブラインドをはじめとする、軸を中心にスラットを回転動作させる電動遮光装置５の場合の操作画面例について、図３９を参照して説明する。図３９の操作画面１００は、少なくとも外枠１０６、操作シンボル１０２、スラット１０３を備える。スラット１０３の可動領域を示す可動範囲マーカー１０４及び電動遮光設備５を開放状態とするための開放位置マーク１０５の表示も備えることが望ましい。図３９では、操作シンボル１０２を、可動範囲マーカー１０４上でドラッグすることにより、電動遮光設備５のスラットの角度の制御を行う。
【０１３１】
図３９（ａ）はスラット１０３を可動範囲の一番上まで上げた状態、図３９（ｃ）はスラット１０３を可動範囲の一番下まで下げた状態、図３９（ｂ）はその間の状態である。
【０１３２】
なお、上述の例では、状態表示領域１０１は長方形で表現したが、状態表示領域１０１を示す図形が長方形である必要はない。また図形ではなく、実際の遮光設備の画像を状態表示領域１０１の表示用に使用してもよい。
【０１３３】
以上、実施の形態２では、電動遮光設備５の実物を開閉するのと同じ感覚で開閉制御ができる操作画面を生成することにより、対象の電動遮光設備５の状態確認及び制御をより直感的に行うことが可能となる。
【０１３４】
（実施の形態３）
実施の形態１や実施の形態２では、遮光設備の開閉状態の確認や開閉制御を行うことはできたが、時刻や天候等の建屋の周囲の状況を取得することはできなかった。遮光設備は、日の出／日没／天候等の周囲の状況に応じて制御できる方が便利である。そこで、太陽光発電システムを用いることで、周囲の状況を把握できるようにした実施の形態３について説明する。
【０１３５】
本発明の実施の形態３に係る情報端末システム３０００は、図４０に示すように、情報端末装置１と、１つ以上の遮光設備開閉センサ２と、表示装置３と、太陽光発電システム６と、を備える。実施の形態１に係る情報端末システム１０００に、太陽光発電システム６が追加された構成である。実施の形態１と同様に、情報端末装置１がスマートホンやタブレット等の表示デバイスを備えた情報端末装置１である場合は、独立した表示装置３を備えなくても良い。この場合は、情報端末装置１が表示装置３を含む。
【０１３６】
ここで、太陽光発電システム６は、直流電力を出力する太陽光発電モジュールと、太陽光発電モジュールが出力した直流電力を交流電力に変換するパワーコンディショナと、を備える。また、表示装置３及び遮光設備開閉センサ２は、実施の形態１の表示装置３及び遮光設備開閉センサ２と同じである。
【０１３７】
情報端末装置１は、遮光設備開閉センサ２から、開閉状態の情報を受け取り、その情報に基づき、各遮光設備の開閉状態を建屋内の設置場所と共に提示する画面を構築し、表示装置３に出力することができる。この点は、実施の形態１と同じである。
【０１３８】
情報端末装置１は、さらに、図４１に示すように、外部環境推定部１８、発電情報記憶部２６、発電パターン記憶部２７、判定条件記憶部２８及び発電情報取得部３４を備えることにより、建屋の周囲の外部環境を推定可能である。そして、画面構築部１４は、機器状態取得部１１、画像取得部１２及び位置取得部１３で取得した情報に基づく模式図や間取り図に、外部環境推定部１８で推定した外部環境の情報を付加した画面を構築する。図４１のこれ以外の構成要素は、図２に示す同じ符号の構成要素と同じである。
【０１３９】
外部環境推定部１８は、後述する発電情報記憶部２６に記憶された過去の発電量に関する情報と、後述する発電パターン記憶部２７に記憶された季節や気象条件毎の発電パターンと、に基づいて、現在の屋外の明るさや、必要に応じて現在の天候、季節、時刻等の外部環境を推定する。
【０１４０】
発電情報記憶部２６は、後述する発電情報取得部３４から取得した発電量に関する情報を記憶する。
【０１４１】
発電パターン記憶部２７は、季節や気象条件毎の時間帯別発電量を記憶する。時間帯別発電量とは例えば１時間間隔での時間帯毎の発電量である。この時間帯別発電量をグラフで表すと図４２のように、季節や気象条件毎のパターンを示すため、時間帯別発電量の２４時間分のデータを発電パターンとも言う。図４２は夏季晴天時の発電パターンの例であるが、他の各季節での晴天時の発電パターンも記憶している。なお、季節毎ではなく、月毎の晴天時の発電パターンを記憶しても良い。
【０１４２】
また、後述する天候の推定が不要の場合は、正確な発電パターンである必要はなく、単に季節毎（月毎）の夜の時間帯の長さ（日没から翌日の日の出までの時間の長さ）を記憶しているだけでも良い。また、晴天時の発電パターンだけでなく、曇天時、雨天時等、各季節（各月）の各天候での発電パターンをも記憶しておいても良い。各天候における発電パターンも記憶しておくと、天候の推定の精度を向上させることができる。
【０１４３】
情報端末装置１を工場から出荷する際又は販売店で販売する際には、その情報端末装置１のユーザの使用場所に応じた典型的な発電パターンを予め発電パターン記憶部２７に記憶してから出荷又は販売する。ユーザ毎にカスタマイズするのが煩雑な場合は、出荷国毎にその国での典型的な発電パターンを発電パターン記憶部２７に記憶しておくようにしても良い。
【０１４４】
判定条件記憶部２８は、図４３に示すように、情報端末装置１で処理を行う条件である判定条件と、その判定条件が満たされた場合の処理内容を記憶する。図４３の上から一つ目の例は、日没の３０分前に遮光設備開閉センサ２から取得した値が「全閉鎖」でなければ、「遮光設備が開いています」というメッセージを出力する処理を行うように設定している。また、上から二つ目の例は、季節が夏季で、天候が晴天の場合に、日の出１時間後から日没１時間前までの間で、遮光設備開閉センサ２から取得した値が「全閉鎖」でなければ、「遮光設備が開いています」というメッセージを出力する処理を行うように設定している。これらのメッセージの出力位置は、記憶部２０に記憶していてもよいし、模式図や間取り図に重ね合わせて出力するようにしてもよい。
【０１４５】
また、図４３の上から三つ目の例は、天候が晴天の場合、日の出から日没までの間は、背景部分に「太陽」のシンボル画像を配置する処理を行うように設定している。また、上から四つ目の例は、天候が晴天以外の場合に、背景部分に「雲」のシンボル画像を配置する処理を行うように設定している。「太陽」や「雲」のシンボル画像は、画像情報記憶部２１に記憶されている。
【０１４６】
この判定条件記憶部２８には、発電パターン記憶部２７と同様に、工場から出荷する際または販売店で販売する際に、その情報端末装置１のユーザの希望に合わせた判定条件を記憶しておくようにしても良いし、購入後にユーザが設定できるようにしても良い。ユーザが設定できるようにする場合は、情報端末装置１はボタンやタッチパネル等の入力デバイスで構成された入力部を備え、制御部１０は、入力部から入力された内容を判定条件記憶部２８に記憶させる。
【０１４７】
判定条件記憶部２８に記憶されている制御条件は通常複数あるため、制御部１０は、判定条件を上から順番に判定していき、判定条件を満たしたものに対応する処理が順次実行され、最終的には最後に満たした判定条件に対応する処理が実行される。また、各判定条件に優先度を設定するようにしても良い。この場合、優先度の高い順に判定条件を見ていき、最初に満たした判定条件に対応する処理を実行することになる。もし、複数の判定条件を同時に判定したい場合は、それらに同じ優先度を設定する。
【０１４８】
発電情報取得部３４は、太陽光発電システム６から発電情報を取得する。発電情報は、発電量を示す情報であり、太陽電池モジュールの出力電圧又はパワーコンディショナの出力電力である。発電情報として、太陽電池モジュールの出力電圧を使用する場合は、パワーコンディショナが検知する太陽電池モジュールの出力電圧のデータを発電情報取得部３４で取得すれば良い。また、発電情報として、パワーコンディショナの出力電力を使用する場合は、パワーコンディショナから分電盤に伸びる電源ラインに電流センサを取り付け、電流センサの計測値を発電情報取得部３４で取得すれば良い。なお、一般的な太陽光発電システムは発電量モニタが付属しており、上述の後者の方法で発電量を取得しているため、本情報端末システムの構築にあたり新規にセンサ類を追加する必要はない。
【０１４９】
この発電情報は瞬時値ではなく、数秒間、数分間等の一定の時間に発電された量の積分値である電力量であることが望ましいため、必要な場合には、発電情報取得部３４は、太陽電池モジュールの出力電圧又はパワーコンディショナの出力電力を積分する電力量計を備える。
【０１５０】
次に、実施の形態３に係る情報端末装置１が行う画面構築及び判定処理について、図４４を参照して説明する。この画面構築処理は、情報端末装置１の制御プログラムが起動すると開始する。
【０１５１】
まず、制御部１０は、発電情報取得部３４を介して太陽光発電システム６から発電量に関する情報を取得し、発電情報記憶部２６に記憶する（ステップＳ１００１）。次に、外部環境推定部１８は、発電情報記憶部２６に記憶された発電量に関する過去の情報と、発電パターン記憶部２７に記憶された発電パターンとを比較することで、現在の屋外の明るさ、現在時刻、天候、季節等の外部環境を推定する（ステップＳ１００２）。
【０１５２】
次に、機器状態取得部１１が、通信部３１を介して、遮光設備開閉センサ２から遮光設備の開閉状態を取得する（ステップＳ１００３）。そして、画面構築部１４は、機器状態取得部１１が取得した遮光設備の開閉状態に基づいて、画面を構築し、出力する（ステップＳ１００４）。そして、制御部１０は、現在の外部環境及び遮光設備の開閉状態が、判定条件記憶部２８に記憶されている判定条件に一致するか否かを判定する（ステップＳ１００５）。ステップＳ１００５において、制御部１０は判定部に相当する。
【０１５３】
判定条件のいずれかに一致するなら（ステップＳ１００５；Ｙｅｓ）、判定条件記憶部２８に記憶されている一致した判定条件に対応する処理内容を実行し（ステップＳ１００６）、ステップＳ１００７に進む。判定条件のいずれにも一致しないなら（ステップＳ１００５；Ｎｏ）、ステップＳ１００７に進む。
【０１５４】
ステップＳ１００７では、制御部１０は、制御プログラムが動作中かを判定する（ステップＳ１００７）。制御プログラムが動作中であれば（ステップＳ１００７；Ｙｅｓ）、ステップＳ１００１に戻る。制御プログラムが動作中でなければ（ステップＳ１００７；Ｎｏ）、処理を終了する。
【０１５５】
ステップＳ１００４での画面構築・出力処理は、図６のステップＳ１０４での処理と同じである。
【０１５６】
ステップＳ１００２での外部環境の推定について説明する。季節の推定は、発電量が連続して０になる時間帯の長さを計測することで行う。例えば発電量が連続して０になる時間帯の長さは、夏季であれば１９時から５時までの約１０時間であるのに対し、冬季は１７時から７時までの約１４時間である。したがって、過去２４時間のうちの発電量が０となっている時間帯の長さに基づいて、現在の季節が夏に近いのか冬に近いのかを推定することができる。
【０１５７】
この推定を容易にするために、夜間長記憶期間として１日分、３日分、２００日分等の期間を設定することも考えられる。これは、記憶部２０にさらに夜間長記憶部（図示せず）を夜間長記憶期間の日数分設けて、発電情報記憶部２６に記憶されている発電情報に基づき、２４時間ごとの発電量が０であった時間帯の長さを毎日、夜間長記憶部に記憶するようにするものである。夜間長記憶期間として半年分以上の日数を設定すれば、半年分以上の期間において、発電量が０であった時間帯の長さが現在増えつつあるのか、減りつつあるのか等もわかるので、季節をかなり正確に推定できるようになる。
【０１５８】
例えば、半年間、発電量が０であった時間帯の長さがずっと増え続けていたなら、現在は冬至付近と推定できる。逆に半年間、ずっと減り続けていたなら夏至付近と推定できる。そして、この時間帯の長さにピークや底が存在していたなら、その日付近が冬至や夏至と推定できるので、そこからの日数に基づき、現在が何月頃かを推定できる。
【０１５９】
また、現在時刻についても、発電量が連続して０になる時間帯に基づいて推定することができる。具体的には、発電量が連続して０になる時間帯のちょうど真ん中の時刻を午前０時と推定し、そこから現在までの経過時間を制御部１０が備えるタイマーの値に基づいて求めれば、それが推定現在時刻（午前０時からの経過時間）となる。例えば、発電量が正から０になった時のタイマーの値をＴｓ、発電量が０から正になった時のタイマーの値をＴｅ、現在のタイマーの値をＴｃとすると、推定現在時刻（午前０時からの経過時間）は、Ｔｓ＜Ｔｅの場合は「Ｔｃ−（Ｔｓ＋Ｔｅ）÷２」で、Ｔｓ＞Ｔｅの場合は「Ｔｃ−（Ｔｓ＋Ｔｅ）÷２＋１２時間」で表すことができる。
【０１６０】
ここで、ＴｓやＴｅは、発電情報記憶部２６に格納されている発電情報を過去の情報から時系列順に見ていき、発電量が正の値から０に切り替わった時の時間情報をＴｓ、０から正の値に切り替わった時の時間情報をＴｅとすれば良い。
【０１６１】
また、発電量０が数時間以上継続した後に発電量が０よりも大きくなった場合は日の出時刻を迎えたことが推定でき、発電量が一度ピークを迎えた後に発電量が日の出時刻の時と同等の低い値になった場合は日没間近であることが推定できる。そして、日の出の時刻や日没の時刻は、前日のそれらの時刻から大きく変化することは無いため、前日の日の出時刻や日没時刻でのタイマーの値（上述のＴｅやＴｓに対応する）からＴ時間経過した時刻は「日の出（日没）の（２４−Ｔ）時間前」であると推定することもできる。
【０１６２】
上述した季節の推定は、発電パターンの情報として、最低限、発電量が連続して０になる時間帯の長ささえあれば可能である。さらに言えば、夜間長記憶部に発電量が連続して０になる時間帯の長さを半年分以上記憶させていれば、この時間帯の長さの変化率に基づいて、発電パターン情報が無くても季節の推定が可能になる。また上述した時刻の推定は、発電パターンの情報が無くても、発電量が０になっている時間帯に基づいて行うことができる。したがって、後述する天候の推定が不要な場合は、発電パターン記憶部２７に記憶する情報は、発電パターンではなく、単に季節毎の夜の時間帯の長さだけでも良い。さらに、天候の推定も季節の推定も不要な場合（及び天候の推定が不要で季節の推定は夜間長記憶部に記憶されている情報に基づいて行う場合）は、発電パターンは不要となるので、この場合は、発電パターン記憶部２７は無くても良い。
【０１６３】
発電パターン記憶部２７に晴天時の発電パターンしか記憶されていない場合は、天候の推定を、直近の実際の発電量と推定した季節の晴天時の発電パターンにおける推定現在時刻での発電量との比（「実際の発電量」÷「発電パターンにおける発電量」）の値に基づいて行うことができる。例えば、この比の値が０．８以上なら「晴天」、０．４以上０．８未満なら「曇天」、０．４未満なら「雨」と推定することができる。もっともこの推定は単に明るさに基づく推定であり、実際の天候とは異なる可能性もある。そこで、この比の値を外部環境の情報の一つである「明るさ」の値として用いても良い。
【０１６４】
発電パターン記憶部２７に各天候での発電パターンも記憶されている場合は、天候や時刻の推定を、発電情報記憶部２６に記憶されている過去２４時間の実際の発電量と、推定した季節の各天候での発電パターンとを比較して行うことができる。比較の際は、過去２４時間の実際の発電量データを、少しずつずらしながら発電パターンと比較していく。ずらす時間は、３０分、１時間等、発電パターンの一つの時間帯に対応する時間以下の時間にするのが望ましい。例えば、過去２４時間の実際の発電量データをｎ時間ずらす場合は、ｎ時間前の発電量から現在までの発電量の後に、２４時間前の発電量からｎ時間前までの発電量が続くデータを用いる。そして、最も類似する発電パターンが見つかったら、その発電パターンに対応する天候をその日の天候と推定する。そして、そのときの実際の発電量の時間をずらした量に基づき現在時刻を推定することができる。例えば、ｎ時間ずらした場合に晴天時の発電パターンと最も類似することがわかったら、この日の天候は晴天であり、現在時刻はｎ時と推定できる。
【０１６５】
ただし、この推定は、天候が一日の間中変化しないことを前提とした推定になる。天候が変化する場合は、各時間帯で、実際の発電量を各天候の発電パターンと比較して、最も近い発電パターンに対応する天候を、その時間帯の天候と推定したり、各天候の発電パターンをどのように組み合わせれば現在の実際の発電量を近似できるかを公知の推論アルゴリズムを用いて求めたりすることで、各時間帯の天候や現在時刻を推定可能である。
【０１６６】
以上説明したように、実施の形態３に係る情報端末システム３０００によれば、遮光設備の開閉状態を表現するだけでなく、天候、時刻、季節等の外部環境に応じてメッセージの出力や太陽等のシンボル画像の描画を行うことができる。この結果、ユーザは外部環境と遮光設備の開閉状態とを同時に把握できる。また、メッセージを出力することにより、ユーザが遮光設備の開閉をし忘れている事に気づきやすくすることができる。
【０１６７】
（実施の形態４）
上述した実施の形態３では、遮光設備の開閉制御ができなかったので、例えば、「遮光設備が開いています」というメッセージが出力されたら、ユーザは手動で遮光設備を閉める必要があった。電動遮光設備を用いることで、ユーザが開閉しなくても、自動的に開閉制御できる実施の形態４について、説明する。
【０１６８】
本発明の実施の形態４に係る情報端末システム４０００は、図４５に示すように、情報端末装置１と、１つ以上の電動遮光設備５と、表示装置３と、太陽光発電システム６と、を備える。実施の形態２に係る情報端末システム２０００に、実施の形態３に係る情報端末システム３０００が備える太陽光発電システム６が追加された構成である。また、実施の形態３に係る情報端末システム３０００において、遮光設備開閉センサ２を電動遮光設備５に置き換えた構成とも言える。実施の形態２と同様に、情報端末装置１がスマートホンやタブレット等の表示デバイスを備えた情報端末装置１である場合は、独立した表示装置３を備えなくても良い。この場合は、情報端末装置１が表示装置３を含む。
【０１６９】
ここで、表示装置３及び電動遮光設備５は、実施の形態２の表示装置３及び電動遮光設備５と同じである。また、太陽光発電システム６は実施の形態３の太陽光発電システム６と同じである。
【０１７０】
情報端末装置１は、電動遮光設備５から、開閉状態の情報を受け取り、その情報に基づき、各電動遮光設備５の開閉状態を建屋内の設置場所と共に提示する画面を構築し、表示装置３に出力することができる。この点は、実施の形態２と同じである。
【０１７１】
情報端末装置１は、図４６に示すように、機器制御部１５、操作画面生成部１６、制御内容取得部１７及び入力部３３を備えることにより、電動遮光設備５の開閉を制御可能である。また、外部環境推定部１８、発電情報記憶部２６、発電パターン記憶部２７、判定条件記憶部２８及び発電情報取得部３４を備えることにより、建屋の周囲の外部環境を推定可能である。そして、画面構築部１４は、機器状態取得部１１、画像取得部１２及び位置取得部１３で取得した情報に基づく模式図や間取り図に、外部環境推定部１８で推定した外部環境の情報を付加した画面を構築する。図４６のこれ以外の構成要素は、図２に示す同じ符号の構成要素と同じである。
【０１７２】
また、上述した図２から追加された構成要素も、図３３及び図４１に示す同じ符号の構成要素と同じであるため、これらの構成要素の説明は省略する。ただし、判定条件記憶部２８に記憶される処理内容は、出力だけでなく、電動遮光設備５の制御に関する処理内容も含めることができるので、これについて説明する。
【０１７３】
実施の形態４における判定条件記憶部２８には、図４７に示すように、処理内容に電動遮光設備５の制御処理を含めることができる。図４７の上から一つ目の例は、日没の３０分前に電動遮光設備５から取得した値が「全閉鎖」でなければ、「遮光設備が開いています」というメッセージを出力する処理を行うように設定している。これは実施の形態３における判定条件記憶部２８と同様である。また、上から二つ目の例は、季節が夏季で、天候が晴天の場合に、日の出１時間後に、電動遮光設備５から取得した値が「全閉鎖」でなければ、電動遮光設備５を全閉鎖する制御を行うように設定している。夏季は日の光が室内に入らないようにするための制御である。
【０１７４】
また、図４７の上から三つ目の例は、日没時刻になっても電動遮光設備５がまだ全閉鎖になっていなければ、電動遮光設備５を全閉鎖する制御を行うように設定している。また、上から四つ目の例は、季節が冬季で、天候が晴天の場合に、日の出１時間後に、電動遮光設備５から取得した値が「全開放」でなければ、電動遮光設備５を全開放する制御を行うように設定している。冬季は日の光を室内に入れるようにするための制御である。
【０１７５】
実施の形態４に係る情報端末装置１が行う画面構築処理は、実施の形態３に係る情報端末装置１が行う画面構築処理と同じであり、図４４の処理フローで示される。また、実施の形態４に係る情報端末装置１による、電動遮光設備５の開閉制御処理は、実施の形態２に係る情報端末装置１が行う開閉制御処理と同じであり、図３４の処理フローで示される。したがって、電動遮光設備５が開閉制御された場合は、図３４のステップＳ９０５〜ステップＳ９０８の処理により、開閉制御が正常に行われたか否かを画面上でわかりやすく確認することができる。
【０１７６】
以上説明したように、実施の形態４に係る情報端末システム４０００によれば、遮光設備の開閉状態を表現するだけでなく、天候、時刻、季節等の外部環境や、電動遮光設備５の開閉状態に応じて、自動的に電動遮光設備５の開閉を制御することができる。
【０１７７】
なお、本発明は上述した各実施の形態に限定されず、本発明の要旨を逸脱しない範囲での種々の変更が可能である。例えば、遮光設備開閉センサ２以外に、他の機器・設備の状態を取得するセンサを備え、そのセンサが取得した状態を、画面に表現させることも可能である。また、別途センサを備えずに、その機器・設備自体が備える状態通知機能を用いても良い。そして、上述した各実施の形態を、実施の形態１の変形例と組み合わせることにより、間取り図の画面構築において、表示するアイコンの機器種別を自由に変更することも可能である。例えば、エアコンの状態として、エアコンから設定温度及び現在気温を取得して、エアコンのシンボル画像やアイコン画像の位置に、設定温度及び現在気温を表示することが可能である。またテレビの状態として、現在のオン／オフ及び受信チャンネル等をテレビから取得して、テレビのシンボル画像やアイコン画像の位置に、現在のオン／オフ及び受信チャンネル等を表示することも可能である。
【０１７８】
また、実施の形態１に係る情報端末システム１０００において、スマートホンやタブレット等の情報端末を表示装置３として使用する場合、画面構築部１４が遮光設備及び他の設備を含む建屋の間取り図又は模式図を描画するための描画情報を生成し、出力部３２がこの描画情報を表示装置３に出力する構成としても良いことを説明した。スマートホンやタブレット等の情報端末を表示装置３として使用する場合、実施の形態１だけでなく、他の実施の形態においてもこの構成を取ることが可能である。
【０１７９】
また、上述した実施の形態２や実施の形態４に係る情報端末システムは電動遮光設備５を含んでいたが、外部からの制御信号を受信し、受信した制御信号に基づいて動作する機能を持っている機器であれば、他にも様々な機器を接続して自動制御することができる。例えば車庫のシャッター、店舗のシャッター、植木や芝生等へ水撒きするスプリンクラー等を日の出や日没の時刻に合わせて自動制御するシステムも考えられる。そして、電動遮光設備５やその他の自動制御する機器が利用する電力は、太陽光発電システム６が発電する電力である必要はないため、夜間や雨天時等、太陽光発電システム６からの電力供給が困難な場合でも、問題なく自動制御することが可能である。
【０１８０】
本発明の実施の形態に係る情報端末装置１のハードウェアは、例えば図４８に示すように、プロセッサ１００１、メモリ１００２、インタフェース１００３で構成されている。情報端末装置１の各機能はプロセッサ１００１がメモリ１００２に記憶されたプログラムを実行することにより実現される。インタフェース１００３は情報端末装置１と、遮光設備開閉センサ２、表示装置３、電動遮光設備５、太陽光発電システム６等の構成要素を接続し、通信を確立させるためのものであり、必要に応じて複数種のインタフェースから構成されてもよい。また、図４８では、プロセッサ１００１およびメモリ１００２をそれぞれ一つで構成する例を示しているが、複数のプロセッサおよび複数のメモリが連携して上記機能を実行してもよい。
【０１８１】
また、上述のいずれの実施の形態においても、各機能は、通常のコンピュータによっても実施することができる。具体的には、上述の実施の形態では、制御部１０が実行するプログラムが、記憶部２０のＲＯＭに予め記憶されているものとして説明した。しかし、プログラムを、フレキシブルディスク、ＣＤ−ＲＯＭ（Ｃｏｍｐａｃｔ  Ｄｉｓｃ  Ｒｅａｄ  Ｏｎｌｙ  Ｍｅｍｏｒｙ）、ＤＶＤ（Ｄｉｇｉｔａｌ  Ｖｅｒｓａｔｉｌｅ  Ｄｉｓｃ）及びＭＯ（Ｍａｇｎｅｔｏ−Ｏｐｔｉｃａｌ  Ｄｉｓｃ）等のコンピュータ読み取り可能な記録媒体に格納して配布し、そのプログラムをコンピュータに読み込んでインストールすることにより、上述の各機能を実現することができるコンピュータを構成してもよい。そして、各機能をＯＳ（Ｏｐｅｒａｔｉｎｇ  Ｓｙｓｔｅｍ）とアプリケーションとの分担、またはＯＳとアプリケーションとの協同により実現する場合等には、ＯＳ以外の部分のみを記録媒体に格納してもよい。
【０１８２】
なお、上述のいずれの実施の形態においても、記憶部２０に含まれる各部（画像情報記憶部２１、建屋情報記憶部２２、機器状態記憶部２３、発電情報記憶部２６、発電パターン記憶部２７、判定条件記憶部２８等）は、これらの一部乃至は全てを、情報端末装置１が備えず、通信ネットワークを介して接続された他の情報端末装置１、記憶装置、クラウドサーバ等から取得する構成であってもよい。
【０１８３】
さらに、搬送波に各プログラムを重畳し、通信ネットワークを介して配信することも可能である。例えば、通信ネットワーク上の掲示板（ＢＢＳ，Ｂｕｌｌｅｔｉｎ  Ｂｏａｒｄ  Ｓｙｓｔｅｍ）に当該プログラムを掲示し、ネットワークを介して当該プログラムを配信してもよい。そして、これらのプログラムを起動し、ＯＳの制御下で、他のアプリケーションプログラムと同様に実行することにより、上述の処理を実行できるように構成してもよい。
【０１８４】
以上、本発明の好ましい実施形態について説明したが、本発明は係る特定の実施形態に限定されるものではなく、本発明には、特許請求の範囲に記載された発明とその均等の範囲が含まれる。
【符号の説明】
【０１８５】
１０００，２０００，３０００，４０００  情報端末システム、１  情報端末装置、２  遮光設備開閉センサ、３  表示装置、５  電動遮光設備、６  太陽光発電システム、８  機器・設備選択領域、９  建屋、１０  制御部、１１  機器状態取得部、１２  画像取得部、１３  位置取得部、１４  画面構築部、１５  機器制御部、１６  操作画面生成部、１７  制御内容取得部、１８  外部環境推定部、２０  記憶部、２１  画像情報記憶部、２２  建屋情報記憶部、２３  機器状態記憶部、２４  画面記憶部、２５  選択機器記憶部、２６  発電情報記憶部、２７  発電パターン記憶部、２８  判定条件記憶部、３１  通信部、３２  出力部、３３  入力部、３４  発電情報取得部、８１，８２，８３  機器・設備アイコン、９０，９０ａ，９０ｂ，９０ｃ  部屋、９１，９１ａ，９１ｂ，９１ｃ，９３ａ，９３ｃ  シンボル画像、９２，９２ａ，９２ｂ，９２ｃ，９４ａ，９５ａ  アイコン画像、１００  操作画面、１０１，１０１ａ，１０１ｂ  状態表示領域、１０２  操作シンボル、１０３  スラット、１０４  可動範囲マーカー、１０５  開放位置マーク、１０６  外枠、１００１  プロセッサ、１００２  メモリ、１００３  インタフェース。
【図１】
2017195550.tif 000003
【図２】
2017195550.tif 000004
【図３】
2017195550.tif 000005
【図４】
2017195550.tif 000006
【図５】
2017195550.tif 000007
【図６】
2017195550.tif 000008
【図７】
2017195550.tif 000009
【図８】
2017195550.tif 000010
【図９】
2017195550.tif 000011
【図１０】
2017195550.tif 000012
【図１１】
2017195550.tif 000013
【図１２】
2017195550.tif 000014
【図１３】
2017195550.tif 000015
【図１４】
2017195550.tif 000016
【図１５】
2017195550.tif 000017
【図１６】
2017195550.tif 000018
【図１７】
2017195550.tif 000019
【図１８】
2017195550.tif 000020
【図１９】
2017195550.tif 000021
【図２０】
2017195550.tif 000022
【図２１】
2017195550.tif 000023
【図２２】
2017195550.tif 000024
【図２３】
2017195550.tif 000025
【図２４】
2017195550.tif 000026
【図２５】
2017195550.tif 000027
【図２６】
2017195550.tif 000028
【図２７】
2017195550.tif 000029
【図２８】
2017195550.tif 000030
【図２９】
2017195550.tif 000031
【図３０】
2017195550.tif 000032
【図３１】
2017195550.tif 000033
【図３２】
2017195550.tif 000034
【図３３】
2017195550.tif 000035
【図３４】
2017195550.tif 000036
【図３５】
2017195550.tif 000037
【図３６】
2017195550.tif 000038
【図３７】
2017195550.tif 000039
【図３８】
2017195550.tif 000040
【図３９】
2017195550.tif 000041
【図４０】
2017195550.tif 000042
【図４１】
2017195550.tif 000043
【図４２】
2017195550.tif 000044
【図４３】
2017195550.tif 000045
【図４４】
2017195550.tif 000046
【図４５】
2017195550.tif 000047
【図４６】
2017195550.tif 000048
【図４７】
2017195550.tif 000049
【図４８】
2017195550.tif 000050